(57)【要約】【課題】  ユーザに専門的な知識や複雑な操作を要求せず、特別なハードウェア及び回路構成を必要とせず小型化及び低コスト化を可能とし、情報漏洩の虞がなく高い安全性を保った認証処理を可能とする。【解決手段】  携帯電話端末１と無線通信端末（例えばテレビジョン受像器１１Ｔ）は、それぞれ近距離無線通信用アンテナ及び通信部と、電気的に接続可能な接点端子２と、通信制御部とを有する。例えば携帯電話端末１の通信制御部は、接点端子２と他の無線通信端末（１１Ｔ）の接点端子とが接続された時、当該接続された接点端子２を介して、他の無線通信端末（１１Ｔ）との間で近距離無線通信の認証処理を実行し、その認証処理の完了後、通信アンテナを介した近距離無線通信を開始する。【選択図】  図１
2011109498.tif 000002
【特許請求の範囲】
【請求項１】
近距離無線通信用の通信アンテナと、
近距離無線通信のための通信部と、
他の無線通信端末の接点端子と電気的に接続可能な接点端子と、
前記接点端子と他の無線通信端末の接点端子とが接続された時、当該接続された接点端子を介して、前記他の無線通信端末との間で近距離無線通信の認証処理を実行し、当該認証処理の完了後、前記通信アンテナを介した近距離無線通信を開始する通信制御部と、
を有する無線通信端末。
【請求項２】
前記通信制御部は、
前記通信アンテナと通信部との間に配され、前記通信アンテナと通信部とを接続するアンテナ経路と、前記接点端子と通信部とを結ぶ接点端子経路とを、切替制御信号に応じて切り替える切替部と、
近距離無線通信の認証処理を実行するとともに、前記接点端子と他の無線通信端末の接点端子とが接続された後、前記認証処理が完了するまでの間は、前記切替部を前記接点端子経路側へ切り替え、前記認証処理が完了した後、前記切替部を前記アンテナ経路側へ切り替える切替制御信号を生成する切替制御信号生成部とを有する請求項１記載の無線通信端末。
【請求項３】
前記切替制御信号生成部は、近距離無線通信機能が起動する前の初期状態では前記切替部を前記接点端子経路側へ切り替えた状態とし、前記接点端子と他の無線通信端末の接点端子とが接続された後、前記認証処理が完了した時、前記切替部を前記アンテナ経路へ切り替える切替制御信号を生成する請求項２記載の無線通信端末。
【請求項４】
前記通信制御部は、
前記通信部内の通信信号経路上に設けられる所定の回路部に対し、当該所定の回路部を通信信号が通るオン状態と通信信号が遮断されるオフ状態とを切替制御可能であり、前記接点端子と他の無線通信端末の接点端子とが接続された後、前記認証処理が完了するまでの間は、前記所定の回路部を前記オフ状態とし、前記認証処理が完了した後、前記所定の回路部をオン状態にするオン／オフ制御信号を生成するオン／オフ制御信号生成部と、
前記通信アンテナに対して前記所定の回路部を挟んだ信号経路と前記接点端子とを結ぶ経路とを有する請求項１記載の無線通信端末。
【請求項５】
前記オン／オフ制御信号生成部は、近距離無線通信機能が起動する前の初期状態では前記所定の回路部をオフ状態とし、前記接点端子と他の無線通信端末の接点端子とが接続された後、前記認証処理が完了した時、前記所定の回路部をオン状態とするオン／オフ制御信号を生成する請求項４記載の無線通信端末。
【請求項６】
前記通信制御部は、
前記通信部内で通信信号にスクランブル／デスクランブルを施すスクランブル／デスクランブル実行モードとスクランブル／デスクランブルを施さない実行しないスクランブル／デスクランブル非実行モードとを切替制御可能であり、前記接点端子と他の無線通信端末の接点端子とが接続された後、前記認証処理が完了するまでの間は、前記通信部をスクランブル／デスクランブル実行モードとし、前記認証処理が完了した後、前記通信部をスクランブル／デスクランブル非実行モードにするスクランブル制御信号を生成するスクランブル制御信号生成部を有する請求項１記載の無線通信端末。
【請求項７】
前記スクランブル制御信号生成部は、近距離無線通信機能が起動する前の初期状態では前記通信部を前記スクランブル／デスクランブル実行モードとし、前記接点端子と他の無線通信端末の接点端子とが接続された後、前記認証処理が完了した時、前記通信部をスクランブル／デスクランブル非実行モードとするスクランブル制御信号を生成する請求項６記載の無線通信端末。
【請求項８】
前記通信制御部は、前記他の無線通信端末との間で近距離無線通信の認証処理を実行した際に使用した情報を保存した後、当該他の無線通信端末とは別の無線通信端末の接点端子が自端末の接点端子と接続された時、当該接続された接点端子を介して、前記別の無線通信端末との間で近距離無線通信の認証処理を実行するとともに、前記保存した情報を当該別の無線通信端末へ送信する請求項１記載の無線通信端末。
【請求項９】
近距離無線通信用の通信アンテナと、近距離無線通信のための通信部と、他の無線通信端末の接点端子と電気的に接続可能な接点端子と、近距離無線通信の認証処理を実行する通信制御部とを、各々が備えた第一、第二の二つの無線通信端末からなり、
前記第一、第二の無線通信端末の通信制御部は、前記接点端子と相手方の無線通信端末の接点端子とが接続された時、当該接続された接点端子を介して、前記相手方の無線通信端末との間で近距離無線通信の認証処理を実行し、当該認証処理の完了後、前記通信アンテナを介した近距離無線通信を開始する無線通信システム。
【請求項１０】
無線通信端末に備えられた接点端子が他の無線通信端末の接点端子と電気的に接続された時、当該接続された接点端子を介して、無線通信端末に備えられた通信制御部が、前記他の無線通信端末との間で近距離無線通信の認証処理を実行する認証ステップと、
当該認証処理の完了後、無線通信端末に備えられた通信制御部が、無線通信端末の通信アンテナを介した近距離無線通信を開始する近距離無線通信ステップと、
有する無線通信端末の制御方法。
【請求項１１】
無線通信端末に備えられた接点端子が他の無線通信端末の接点端子と電気的に接続された時、当該接続された接点端子を介して、前記他の無線通信端末との間で近距離無線通信の認証処理を実行する認証処理と、
当該認証処理の完了後、無線通信端末の通信アンテナを介した近距離無線通信を開始する近距離無線通信処理とを、
無線通信端末に搭載されたコンピュータに実行させる制御プログラム。
【発明の詳細な説明】
【技術分野】
【０００１】
本発明は、他の無線通信端末との間でペアリングのための認証を行った後に無線通信が可能となる無線通信端末、無線通信システム、無線通信端末の制御方法、及び、無線通信端末の制御プログラムに関する。
【背景技術】
【０００２】
従来より、例えばいわゆるブルートゥース（Bluetooth：登録商標）や無線ＬＡＮ（Local Area Network）等のような無線通信方式においては、無線通信端末間で相互に自己アドレスやリンクキーを設定し合うペアリング処理が行われた後に、実際の無線通信が行われる。
【０００３】
例えば、ブルートゥース無線通信方式の場合、最初に、接続を要求する端末（以下マスタ端末と呼ぶ。）が、無線により周囲に問い合わせのメッセージを送信する。
【０００４】
次に、マスタ端末の問い合わせを受け取った端末（以下、スレーブ端末と呼ぶ。）は、自端末の属性情報（アドレスやデバイスの種類などの情報）を送ることでマスタ端末に応答する。
【０００５】
次に、マスタ端末は、応答してきたスレーブ端末が複数存在する場合には、その中で通信したい所望の相手先のスレーブ端末のアドレスを繰り返し送信し、応答を要求する。この時、スレーブ端末は、マスタ端末から送られたアドレスが自端末のものである場合、そのアドレスが自端末のものであることを当該マスタ端末へ応答する。
【０００６】
次に、マスタ端末は、所望の相手先のスレーブ端末に対して、通信に使用するチャネルや通信開始時刻などの情報を送信して応答を要求し、一方、そのスレーブ端末はその要求に応答する。
【０００７】
その後、マスタ端末とスレーブ端末が互いに通信してよい端末かどうかを相互に認証する。このとき、双方の端末に同一のパスコード（ＰＩＮコード：Personal Identification Numberコード）を、ユーザが登録する。
【０００８】
以下、マスタ端末とスレーブ端末間における認証から接続までの流れについて詳細に説明する。
【０００９】
先ず、マスタ端末は、スレーブ端末に対してデバイスネームの送信を要求する。なお、デバイスネームとは、各端末に対して任意に付された名称であり、各端末に固有のＩＤや自己アドレスの補助的役割を果たす情報である。
【００１０】
スレーブ端末は、当該デバイスネームの送信要求を受信すると、マスタ端末に対して自己のデバイスネームを送信する。この時、デバイスネームの送信を要求されたスレーブ端末が複数存在する場合には、マスタ端末は、複数のスレーブ端末からそれぞれ送信されてきた各デバイスネームを受信することになる。
【００１１】
次に、マスタ端末は、スレーブ端末から送られてきたデバイスネームに基づいて、何れのスレーブ端末を接続先とするか選択する。当該接続先の選択が完了すると、マスタ端末とスレーブ端末との間で認証プロセスが実行され、その認証プロセスにおいて認証が成功した時にそれら両者の接続が確立され、逆に、認証が失敗した時には両者の接続は切断される。
【００１２】
前記認証プロセスは、より詳細には以下のような流れで行われる。
【００１３】
前記認証プロセスにおいて、先ずマスタ端末は、乱数を発生させ、その乱数を、認証しようとしているスレーブ端末に対して送信する。その後、マスタ端末は、キー操作入力部等を介してユーザよりＰＩＮコードが入力されると、前記乱数及び当該入力されたＰＩＮコードに基づき、所定のアルゴリズムに従ってリンクキーを生成し、さらに、その生成されたリンクキーを暗号化する。ここで、ユーザが入力すべきＰＩＮコードは、スレーブ端末の内部メモリに格納されているＰＩＮコードと同一のＰＩＮコードであり、これと異なるＰＩＮコードが入力された場合は、認証失敗となる。
【００１４】
一方、スレーブ端末は、前記乱数を受信すると、内部メモリに格納されているＰＩＮコードを読み出し、前記受信した乱数及び当該読み出したＰＩＮコードを用い、所定のアルゴリズムに従ってリンクキーを生成する。さらに、スレーブ端末は、当該生成したリンクキーを暗号化し、その暗号化されたリンクキーを、マスタ端末へ送信する。
【００１５】
マスタ端末は、スレーブ端末から送られてきた前記暗号化されたリンクキーを受信すると、内部で生成して暗号化しておいたリンクキーと、当該受信した暗号化されたリンクキーとを照合する。この照合の結果、両者が一致していれば認証成功として認証プロセスを終了し、一方、両者が一致しなければ認証失敗として認証プロセスを終了する。
【００１６】
そして、当該認証プロセスにおいて認証が成功した場合、マスタ端末とスレーブ端末との間の接続が確立され、一方、認証が失敗した場合には両者の接続は切断される。
【００１７】
なお、特開２００２−２３２４２０号の公開特許公報（特許文献１）には、認証マスタ及び認証スレーブからなり、暗号化キー及び認証識別情報に基づいて生成された暗号化情報が共有されたことを条件に、認証マスタと認証スレーブの接続が確立されるような無線通信システムが開示されている。この無線通信システムにおいては、暗号化キーが認証マスタ内で生成されて無線により認証スレーブへ送られ、認証識別情報が認証スレーブ内で生成されてメールにより認証マスタへ送信されることにより、ユーザが認証識別情報を入力することなく無線通信を確立できるようになされている。
【先行技術文献】
【特許文献】
【００１８】
【特許文献１】特開２００２−２３２４２０号公報（図３）
【発明の概要】
【発明が解決しようとする課題】
【００１９】
ところで、ペアリング処理の際の自己アドレスやリンクキーの相互設定の仕方としては、ユーザが直接それらのデータを入力するマニュアル設定の他に、複数用意された選択肢の中から必要なデータをユーザが選択する選択設定や、例えばＵＳＢ（Universal Serial Bus）経由や赤外線通信などで端末間を接続してデータを送り合うような通信設定などがある。
【００２０】
しかしながら、前記マニュアル設定の場合、自己アドレスやリンクキーをユーザが手入力しなければならず、設定のための操作が複雑であると同時にペアリングに関する専門的な知識が要求される。したがって、当該マニュアル設定は、専門的知識が乏しく不慣れなユーザにとっては非常に難度が高いものとなる。
【００２１】
また、前記マニュアル設定や前記選択設定の場合、例えば無線通信端末の内蔵ディスプレイや、当該端末に接続された外部ディスプレイなどの画面上に、自己アドレスやリンクキーなどの情報、或いはそれらの選択肢が表示等されることになるため、情報漏洩が起こり易く、情報に関して安全性に問題がある。
【００２２】
また、ＵＳＢ経由や赤外線通信でデータを送る通信設定の場合、ＵＳＢデバイスや赤外線デバイスなど、特別なハードウェア及び回路構成が必要となり、その結果、構成の大型化とコスト増が避けられない。その他にも、例えば、二つの機器が据え置き機器で移動できず、それら機器間の距離がＵＳＢケーブルの長さや赤外線の届く距離よりも離れていたり、それら機器が別々の部屋等に設置されているためにＵＳＢケーブル等による接続や赤外線通信ができないような場合には、それらＵＳＢ経由や赤外線通信による通信設定は不可能である。
【００２３】
本発明は、このような実情に鑑みて提案されたものであり、ユーザに対して専門的な知識や複雑な操作を要求せず、また、特別なハードウェア及び回路構成を必要とせず小型化及び低コスト化を可能とし、また、ケーブル接続や赤外線通信ができない状況であっても通信設定を可能とし、さらには、情報漏洩の虞もなく高い安全性を保ったペアリング処理を可能とする無線通信端末、無線通信システム、無線通信端末の制御方法、及び無線通信端末の制御プログラムを提供することを目的とする。
【課題を解決するための手段】
【００２４】
本発明の無線通信端末は、近距離無線通信用の通信アンテナと、近距離無線通信のための通信部と、他の無線通信端末の接点端子と電気的に接続可能な接点端子と、通信制御部とを有する。通信制御部は、接点端子と他の無線通信端末の接点端子とが接続された時、当該接続された接点端子を介して、他の無線通信端末との間で近距離無線通信の認証処理を実行し、当該認証処理の完了後、通信アンテナを介した近距離無線通信を開始する。これにより、本発明の無線通信端末は、上述した課題を解決する。
【００２５】
また、本発明の無線通信システムは、近距離無線通信用の通信アンテナと、近距離無線通信のための通信部と、他の無線通信端末の接点端子と電気的に接続可能な接点端子と、近距離無線通信の認証処理を実行する通信制御部とを各々が備えた第一、第二の二つの無線通信端末からなる。そして、これら第一、第二の無線通信端末の通信制御部は、接点端子と相手方の無線通信端末の接点端子とが接続された時、当該接続された接点端子を介して、相手方の無線通信端末との間で近距離無線通信の認証処理を実行し、当該認証処理の完了後、通信アンテナを介した近距離無線通信を開始する。これにより、本発明の無線通信システムは、上述した課題を解決する。
【００２６】
また、本発明の無線通信端末の制御方法は、認証ステップと、近距離無線通信ステップとからなる。ここで、認証ステップでは、接点端子が他の無線通信端末の接点端子と電気的に接続された時、当該接続された接点端子を介して、他の無線通信端末との間で近距離無線通信の認証処理を実行する。近距離無線通信ステップでは、認証ステップによる認証処理の完了後、通信アンテナを介した近距離無線通信を開始する。これにより、本発明の無線通信端末の制御方法は、上述した課題を解決する。
【００２７】
また、本発明にかかる無線通信端末の制御プログラムは、無線通信端末に搭載されたコンピュータに認証処理と近距離無線通信処理を実行させる。ここで、認証処理では、接点端子が他の無線通信端末の接点端子と電気的に接続された時、当該接続された接点端子を介して、前記他の無線通信端末との間で近距離無線通信の認証処理を実行する。近距離無線通信処理では、認証処理の完了後、通信アンテナを介した近距離無線通信を開始する。これにより、本発明の制御プログラムは、上述した課題を解決する。
【００２８】
すなわち本発明によれば、近距離無線通信を行おうとする二つの無線通信端末を、接点端子により直接接続し、それら接点端子を通じて情報を送受することでペアリングのための認証がなされる。そして、ペアリングが完了した後、アンテナを用いた近距離無線通信が開始される。
【発明の効果】
【００２９】
本発明においては、近距離無線通信を行おうとする二つの無線通信端末を、接点端子により直接接続し、それら接点端子を通じて情報を送受することによりペアリングの認証が実行される。これにより、本発明によれば、ユーザに対して専門的な知識や複雑な操作を要求せず、情報漏洩の虞もなく高い安全性を保った認証処理が可能となる。また、本発明で必要となる構成要素は、概ね接点端子のみでよいため、特別なハードウェア及び回路構成を必要とせずに小型化と低コスト化が可能となる。
【図面の簡単な説明】
【００３０】
【図１】本発明実施形態の携帯電話端末とテレビジョン受像機からなる無線通信システムの概略構成図である。
【図２】本発明実施形態の携帯電話端末とヘッドセットからなる無線通信システムの概略構成図である。
【図３】本発明実施形態の携帯電話端末を介してヘッドフォンと据え置き型オーディオ機器をペアリングする例の説明に用いる無線通信システムの概略構成図である。
【図４】本発明実施形態の携帯電話端末を介してパーソナルコンピュータとキーボード、パーソナルコンピュータとマウス装置をそれぞれペアリングする例の説明に用いる無線通信システムの概略構成図である。
【図５】本発明実施形態の携帯電話端末を介して三つのパーソナルコンピュータを相互にペアリングする例の説明に用いる無線通信システムの概略構成図である。
【図６】本発明実施形態の携帯電話端末を介して無線アクセスポイント機器とパーソナルコンピュータをワイファイ認証する例の説明に用いる無線通信システムの概略構成図である。
【図７】本実施形態の携帯電話端末１と無線通信端末１１の概略的な内部構成であり、経路切替のための切替部を備えた構成を示すブロック図である。
【図８】図７の切替部の構成及び制御部による切替制御の説明に用いる図であり、初期状態の切替部を示す図である。
【図９】図７の切替部の構成及び制御部による切替制御の説明に用いる図であり、認証処理が完了した後の切替部を示す図である。
【図１０】図７の構成の切替部の切替スイッチ制御及び認証制御のフローチャートである。
【図１１】本実施形態の携帯電話端末１と無線通信端末１１の概略的な内部構成であり、通信部の内部処理により、アンテナ側又は接点端子側へ信号を供給するかを切り替え、或いは、送受信信号にスクランブルを施すか否かを切り替え制御する構成を示す図である。
【図１２】図１１の構成の通信部の内部構成であり、アンテナ側又は接点端子側へ信号を供給するかを切り替え制御する場合の一構成例を示す図である。
【図１３】図１２の構成におけるパワーアンプのオン／オフ制御及び認証制御のフローチャートである。
【図１４】図１１の構成の通信部の内部構成であり、送受信信号にスクランブルを施すか否かを切り替え制御する場合の一構成例を示す図である。
【図１５】図１４の構成におけるトランシーバ回路のスクランブル／デスクランブルのモード制御及び認証制御のフローチャートである。
【図１６】本実施形態の携帯電話端末と無線通信端末との間における接点端子接続から近距離無線通信の確立までの接続シーケンスである。
【図１７】図３の構成において、携帯電話端末を介してヘッドフォンと据え置き型オーディオ機器をペアリングする場合の接続シーケンスを示す図である。
【図１８】図４の構成において、携帯電話端末を介してパーソナルコンピュータとキーボード、パーソナルコンピュータとマウス装置をそれぞれペアリングする場合の接続シーケンスを示す図である。
【図１９】図５の構成において、携帯電話端末を介して三つのパーソナルコンピュータを相互にペアリングする場合の接続シーケンスを示す図である。
【図２０】図６の構成において、携帯電話端末を介して無線アクセスポイントとパーソナルコンピュータをワイファイ認証する場合の接続シーケンスを示す図である。
【発明を実施するための形態】
【００３１】
以下、図面を参照しながら、本発明の一実施形態について説明する。
【００３２】
［無線通信システムの概要］
図１〜図６には、本発明の無線通信端末の一例である携帯電話端末１と、当該携帯電話端末１との間で近距離無線通信が可能な無線通信端末とからなる無線通信システムの概略構成例を示す。
【００３３】
図１には、近距離無線通信の一例としてブルートゥース無線通信方式による近距離無線通信機能を備えた携帯電話端末１とテレビジョン受像機１１Ｔとからなる無線通信システムの概略構成例を示す。
【００３４】
この図１において、本実施形態の携帯電話端末１は、近距離無線通信機能を備えたテレビジョン受像機１１Ｔとの間で直接電気的に接続するための接点端子２を備えている。同様に、テレビジョン受像機１１Ｔは、本実施形態の携帯電話端末１との間で直接電気的に接続するための接点端子（図１では図示は省略している。）を備えている。
【００３５】
本実施形態の無線通信システムにおいて、携帯電話端末１とテレビジョン受像機１１Ｔとの間でブルートゥース無線通信方式を利用した近距離無線通信を行う場合には、先ず、図１の（Ａ）に示すように、前記携帯電話端末１の接点端子２と、テレビジョン受像機１１Ｔの接点端子とが電気的に接続される。
【００３６】
このように、接点端子同士が電気的に接続された状態となされると、一方はマスタ端末となり、他方はスレーブ端末となる。そして、スレーブ端末は、自機のアドレス，デバイス名などの情報を前記接点端子を通じてマスタ端末側へ送信し、マスタ端末は、それらの情報を受信する。その後、マスタ端末とスレーブ端末は認証プロセスへ移行する。なお、本実施形態では、携帯電話端末１がマスタ端末となる例を挙げている。
【００３７】
当該認証プロセスへ移行した場合、マスタ端末側の携帯電話端末１は、乱数を発生させ、その乱数と、内部のメモリ等に保持しているＰＩＮコードとを、スレーブ端末であるテレビジョン受像機１１Ｔへ送信する。またこの時の携帯電話端末１は、その乱数とＰＩＮコードとからリンクキーを生成する。
【００３８】
一方、認証プロセスへ移行したスレーブ側のテレビジョン受像機１１Ｔは、携帯電話端末１から送られてきた乱数及びＰＩＮコードに基づいてリンクキーを生成し、そのリンクキーを携帯電話端末１へ送信する。
【００３９】
すなわち本実施形態の場合、ＰＩＮコードは、接点端子を通じて取得されることになるため、ユーザがＰＩＮコードを入力等する必要はない。なお、リンクキーの生成時に使用されるＰＩＮコードは、スレーブ端末側のものであってもよい。
【００４０】
次に、携帯電話端末１は、テレビジョン受像機１１Ｔから送られてきたリンクキーを受信すると、先に自機内で生成しておいたリンクキーと、当該受信したリンクキーとを照合し、その照合の結果、両者が一致していれば認証成功として認証プロセスを終了し、一方、両者が一致しなければ認証失敗として認証プロセスを終了する。
【００４１】
そして、本実施形態の無線通信システムにおいては、当該認証プロセスが完了すると、それら携帯電話端末１とテレビジョン受像機１１Ｔとの間の近距離無線通信の接続が確立し、無線通信が可能な状態となる。
【００４２】
図２には、本発明実施形態の携帯電話端末１との間で、例えばブルートゥース無線通信方式による近距離無線通信が可能な本発明実施形態の無線通信端末の他の例として、いわゆるヘッドセット１１ＨＳを挙げた無線通信システムの概略構成例を示す。
【００４３】
この図２において、近距離無線通信機能を備えたヘッドセット１１ＨＳは、図１で挙げたテレビジョン受像機１１Ｔと同様に、本実施形態の携帯電話端末１との間で直接電気的に接続するための接点端子（図２では図示は省略している。）を備えている。
【００４４】
この図２に示した無線通信システムにおいて、携帯電話端末１とヘッドセット１１ＨＳとの間でブルートゥース無線通信方式を利用した近距離無線通信を行う場合には、先ず、図２の（Ａ）に示すように、前記携帯電話端末１の接点端子２と、ヘッドセット１１ＨＳの接点端子とが電気的に接続した状態となされる。
【００４５】
このように、接点端子同士が電気的に接続された状態となされると、図１の例と同様に、スレーブ端末となったヘッドセット１１ＨＳのアドレス，デバイス名などが、前記接点端子を通じてマスタ端末側の携帯電話端末１へ送信され、その後、これら携帯電話端末１とヘッドセット１１ＨＳは認証プロセスへ移行する。
【００４６】
当該認証プロセスへ移行した場合、マスタ端末側の携帯電話端末１は、前述同様に、乱数とＰＩＮコードとを、スレーブ端末であるヘッドセット１１ＨＳへ送信するとともにリンクキーを生成する。
【００４７】
一方、認証プロセスへ移行したスレーブ側のヘッドセット１１ＨＳは、携帯電話端末１から送られてきた乱数及びＰＩＮコードに基づいてリンクキーを生成し、そのリンクキーを携帯電話端末１へ送信する。
【００４８】
次に、携帯電話端末１は、ヘッドセット１１ＨＳから送られてきたリンクキーと、先に自機内で生成しておいたリンクキーとを照合し、その照合の結果、両者が一致していれば認証成功として認証プロセスを終了し、一致しなければ認証失敗として認証プロセスを終了する。
【００４９】
そして、当該認証プロセスが完了した後は、それら携帯電話端末１とヘッドセット１１ＨＳとの間の近距離無線通信の接続が確立し、無線通信が可能な状態となる。
【００５０】
図３には、ブルートゥース無線通信方式等を利用した近距離無線通信が可能な本発明実施形態の無線通信端末の例として、携帯電話端末１とヘッドフォン１１ＨＰと据え置き型オーディオ機器１１Ａの三つの機器を挙げ、本実施形態の携帯電話端末１を介してヘッドフォン１１ＨＰと据え置き型オーディオ機器１１Ａをペアリングする場合の無線通信システムの概略構成例を示す。
【００５１】
この図３において、近距離無線通信機能を備えたヘッドフォン１１ＨＰは、前述同様に、本実施形態の携帯電話端末１との間で直接電気的に接続するための接点端子（図３では図示は省略している。）を備えている。また、この図３の例の場合、近距離無線通信機能を備えた据え置き型オーディオ機器１１Ａは、本実施形態の携帯電話端末１との間で直接電気的に接続するための接点端子（図３では図示は省略している。）を備えている。
【００５２】
この図３に示した無線通信システムにおいて、ヘッドフォン１１ＨＰと据え置き型オーディオ機器１１Ａとの間でブルートゥース無線通信方式を利用した近距離無線通信を行うような場合には、先ず、図３の（Ａ）に示すように、前記携帯電話端末１の接点端子２と、ヘッドフォン１１ＨＰの接点端子とを電気的に接続した状態とする。
【００５３】
これら携帯電話端末１とヘッドフォン１１ＨＰの接点端子同士が電気的に接続された状態となされると、スレーブ端末となったヘッドフォン１１ＨＰのアドレス，デバイス名などが、前記接点端子を通じてマスタ端末側の携帯電話端末１へ送信され、その後、これら携帯電話端末１とヘッドフォン１１ＨＰは認証プロセスへ移行する。
【００５４】
当該認証プロセスへ移行した場合、マスタ端末側の携帯電話端末１は、前述同様に、乱数とＰＩＮコードとを、スレーブ端末であるヘッドフォン１１ＨＰへ送信するとともに、リンクキーを生成する。以下、当該乱数とＰＩＮコードを基に生成されたリンクキーを第一のリンクキーと表記する。
【００５５】
一方、認証プロセスへ移行したスレーブ側のヘッドフォン１１ＨＰは、携帯電話端末１から送られてきた乱数及びＰＩＮコードに基づいてリンクキー（つまり第一のリンクキー）を生成し、そのリンクキーを携帯電話端末１へ送信する。
【００５６】
次に、携帯電話端末１は、ヘッドフォン１１ＨＰから送られてきた第一のリンクキーと、先に自機内で生成しておいた第一のリンクキーとを照合し、その照合の結果、両者が一致していれば認証成功として認証プロセスを終了し、一致しなければ認証失敗として認証プロセスを終了する。
【００５７】
そして、当該認証プロセスが完了した後は、それら携帯電話端末１とヘッドフォン１１ＨＰとの間の近距離無線通信の接続が確立し、無線通信が可能な状態となる。
【００５８】
次に、この図３の無線通信システムでは、図３の（Ｂ）に示すように、前記携帯電話端末１の接点端子２と、据え置き型オーディオ機器１１Ａの接点端子とが電気的に接続した状態となされる。
【００５９】
これら携帯電話端末１と据え置き型オーディオ機器１１Ａの接点端子同士が電気的に接続された状態となされると、スレーブ端末となった据え置き型オーディオ機器１１Ａのアドレス，デバイス名などが、前記接点端子を通じてマスタ端末側の携帯電話端末１へ送信され、その後、これら携帯電話端末１と据え置き型オーディオ機器１１Ａは認証プロセスへ移行する。
【００６０】
当該認証プロセスへ移行した場合、マスタ端末側の携帯電話端末１は、新たに乱数を発生させ、当該新たな乱数、前記ＰＩＮコード、及び、先のヘッドフォン１１ＨＰとの間の認証プロプロセスで使用した第一のリンクキーを、スレーブ端末である据え置き型オーディオ機器１１Ａへ送信する。またこの時の携帯電話端末１は、当該新たな乱数と前記ＰＩＮコードとから、新たなリンクキーも生成する。当該新たな乱数と前記ＰＩＮコードを基に生成されたリンクキーを第二のリンクキーと表記する。
【００６１】
一方、認証プロセスへ移行したスレーブ側の据え置き型オーディオ機器１１Ａは、携帯電話端末１から送られてきた、前記新たな乱数と前記ＰＩＮコードに基づいてリンクキー（つまり第二のリンクキー）を生成し、そのリンクキーを携帯電話端末１へ送信する。
【００６２】
次に、携帯電話端末１は、据え置き型オーディオ機器１１Ａから送られてきた第二のリンクキーと、前記新たな乱数とＰＩＮコードを基に生成しておいた第二のリンクキーとを照合し、その照合の結果、両者が一致していれば認証成功として認証プロセスを終了し、一致しなければ認証失敗として認証プロセスを終了する。
【００６３】
そして、当該認証プロセスが完了した後は、それら携帯電話端末１と据え置き型オーディオ機器１１Ａとの間の近距離無線通信の接続が確立し、それらの間で無線通信が可能な状態となる。
【００６４】
次に、本実施形態の無線通信システムにおいて、携帯電話端末１は、据え置き型オーディオ機器１１Ａとの間の認証プロセスで使用した前記第一のリンクキーを、無線通信により、ヘッドフォン１１ＨＰへ送信する。
【００６５】
その後、本実施形態の無線通信システムにおいて、ヘッドフォン１１ＨＰと据え置き型オーディオ機器１１Ａとの間では、前記第一のリンクキー若しくは前記第二のリンクキーを用いて無線認証が行われる。
【００６６】
そして、当該無線認証が完了すると、図３の（Ｃ）に示すように、それらヘッドフォン１１ＨＰと据え置き型オーディオ機器１１Ａとの間の近距離無線通信の接続が確立し、無線通信が可能な状態となる。
【００６７】
なお、図３の例では、先ずヘッドフォン１１ＨＰと携帯電話端末１とが接点端子を介して接続され、その次に、据え置き型オーディオ機器１１Ａと携帯電話端末１とが接点端子を介して接続された例を挙げたが、それらの順序は逆であってもよい。この場合、据え置き型オーディオ機器１１Ａと携帯電話端末１との間の認証プロセスで使用されるリンクキーが第一のリンクキーとなり、その後のヘッドフォン１１ＨＰと携帯電話端末１との間の認証プロセスで使用されるリングキーが第二のリンクキーとなる。
【００６８】
また、図３では、携帯電話端末１の接点端子２とヘッドフォン１１ＨＰの接点端子が接続された時に自動的に情報が取り込まれ、その後、接点端子２が切り離されて据え置き型オーディオ機器１１Ａの接点端子が接続された時に自動的に情報が転送される例を挙げたが、例えば接点端子を接続した後、特定のボタンを押すなどの所定の操作がなされた時に情報の取り込みや転送が行われても良い。
【００６９】
図４には、ブルートゥース無線通信方式等を利用した近距離無線通信が可能な本発明実施形態の無線通信端末の例として、携帯電話端末１とパーソナルコンピュータ１１Ｐとキーボード１１Ｋとマウス装置１１Ｍの四つの機器を挙げ、本実施形態の携帯電話端末１を介して、パーソナルコンピュータ１１Ｐとキーボード１１Ｋとをペアリングし、また、パーソナルコンピュータ１１Ｐとマウス装置１１Ｍとをペアリングする場合の無線通信システムの概略構成例を示す。
【００７０】
この図４において、近距離無線通信機能を備えたパーソナルコンピュータ１１Ｐは、前述同様に、本実施形態の携帯電話端末１との間で直接電気的に接続するための接点端子（図４では図示は省略している。）を備えている。同様に、近距離無線通信機能を備えたキーボード１１Ｋは、本実施形態の携帯電話端末１との間で直接電気的に接続するための接点端子（図４では図示は省略している。）を備えている。また同様に、近距離無線通信機能を備えたマウス装置１１Ｍは、本実施形態の携帯電話端末１との間で直接電気的に接続するための接点端子（図４では図示は省略している。）を備えている。
【００７１】
この図４に示した無線通信システムにおいて、パーソナルコンピュータ１１Ｐとキーボード１１Ｋとの間、及び、パーソナルコンピュータ１１Ｐとマウス装置１１Ｍとの間でブルートゥース無線通信方式を利用した近距離無線通信を行うような場合には、先ず、図４の（Ａ）に示すように、前記携帯電話端末１の接点端子２とパーソナルコンピュータ１１Ｐの接点端子とを電気的に接続する。
【００７２】
これら携帯電話端末１とパーソナルコンピュータ１１Ｐの接点端子同士が電気的に接続された状態となされると、スレーブ端末となったパーソナルコンピュータ１１Ｐのアドレス，デバイス名などが、前記接点端子を通じてマスタ端末側の携帯電話端末１へ送信され、その後、これら携帯電話端末１とパーソナルコンピュータ１１Ｐは認証プロセスへ移行する。
【００７３】
当該認証プロセスへ移行した場合、マスタ端末側の携帯電話端末１は、前述同様に、乱数とＰＩＮコードとを、スレーブ端末であるパーソナルコンピュータ１１Ｐへ送信するとともに、リンクキーを生成する。以下、当該乱数とＰＩＮコードを基に生成されたリンクキーを第一のリンクキーと表記する。
【００７４】
一方、認証プロセスへ移行したスレーブ側のパーソナルコンピュータ１１Ｐは、携帯電話端末１から送られてきた乱数及びＰＩＮコードに基づいてリンクキー（第一のリンクキー）を生成し、そのリンクキーを携帯電話端末１へ送信する。
【００７５】
そして、携帯電話端末１は、パーソナルコンピュータ１１Ｐから送られてきた第一のリンクキーと、先に自機内で生成しておいた第一のリンクキーとを照合し、その照合の結果、両者が一致していれば認証成功として認証プロセスを終了し、一致しなければ認証失敗として認証プロセスを終了する。
【００７６】
当該認証プロセスが完了した後は、それら携帯電話端末１とパーソナルコンピュータ１１Ｐとの間の近距離無線通信の接続が確立し、無線通信が可能な状態となる。
【００７７】
次に、この図４の無線通信システムでは、図４の（Ｂ）に示すように、前記携帯電話端末１の接点端子２と、前記キーボード１１Ｋの接点端子とが電気的に接続した状態となされる。
【００７８】
これら携帯電話端末１とキーボード１１Ｋの接点端子同士が電気的に接続された状態となされると、スレーブ端末となったキーボード１１Ｋのアドレス，デバイス名などが、前記接点端子を通じてマスタ端末側の携帯電話端末１へ送信され、その後、これら携帯電話端末１とキーボード１１Ｋは認証プロセスへ移行する。
【００７９】
当該認証プロセスへ移行した場合、マスタ端末側の携帯電話端末１は、新たに乱数を発生させ、当該新たな乱数、前記ＰＩＮコード、及び、先のパーソナルコンピュータ１１Ｐとの間の認証プロプロセスで使用した第一のリンクキーを、スレーブ端末であるキーボード１１Ｋへ送信する。またこの時の携帯電話端末１は、当該新たな乱数と前記ＰＩＮコードとから、新たなリンクキーも生成する。当該新たな乱数と前記ＰＩＮコードを基に生成されたリンクキーを第二のリンクキーと表記する。
【００８０】
一方、認証プロセスへ移行したスレーブ側のキーボード１１Ｋは、携帯電話端末１から送られてきた、前記新たな乱数と前記ＰＩＮコードに基づいてリンクキー（第二のリンクキー）を生成し、そのリンクキーを携帯電話端末１へ送信する。
【００８１】
そして、携帯電話端末１は、キーボード１１Ｋから送られてきた第二のリンクキーと、前記新たな乱数とＰＩＮコードを基に生成しておいた第二のリンクキーとを照合し、その照合の結果、両者が一致していれば認証成功として認証プロセスを終了し、一致しなければ認証失敗として認証プロセスを終了する。
【００８２】
次に、本実施形態の無線通信システムにおいて、携帯電話端末１は、キーボード１１Ｋとの間の認証プロセスで使用した前記第二のリンクキーを、無線通信により、パーソナルコンピュータ１１Ｐへ送信する。
【００８３】
その後、本実施形態の無線通信システムにおいて、パーソナルコンピュータ１１Ｐとキーボード１１Ｋとの間では、前記第一のリンクキー若しくは前記第二のリンクキーを用いて無線認証が行われる。
【００８４】
そして、当該無線認証が完了すると、図４の（Ｃ）に示すように、それらパーソナルコンピュータ１１Ｐとキーボード１１Ｋとの間の近距離無線通信の接続が確立し、無線通信が可能な状態となる。
【００８５】
また、この図４の無線通信システムでは、図４の（Ｃ）に示すように、前記携帯電話端末１の接点端子２と、前記マウス装置１１Ｍの接点端子とが電気的に接続した状態となされる。
【００８６】
これら携帯電話端末１とマウス装置１１Ｍの接点端子同士が電気的に接続された状態になされると、スレーブ端末となったマウス装置１１Ｍのアドレス，デバイス名などが、前記接点端子を通じてマスタ端末側の携帯電話端末１へ送信され、その後、これら携帯電話端末１とマウス装置１１Ｍは認証プロセスへ移行する。
【００８７】
当該認証プロセスへ移行した場合、マスタ端末側の携帯電話端末１は、新たに乱数を発生させ、当該新たな乱数、前記ＰＩＮコード、及び、先のパーソナルコンピュータ１１Ｐとの間の認証プロプロセスで使用した第一のリンクキーを、スレーブ端末であるマウス装置１１Ｍへ送信する。またこの時の携帯電話端末１は、当該新たな乱数と前記ＰＩＮコードとから、新たなリンクキーも生成する。当該新たな乱数と前記ＰＩＮコードを基に生成されたリンクキーを第三のリンクキーと表記する。
【００８８】
一方、認証プロセスへ移行したスレーブ側のマウス装置１１Ｍは、携帯電話端末１から送られてきた、前記新たな乱数と前記ＰＩＮコードに基づいてリンクキー（第三のリンクキー）を生成し、そのリンクキーを携帯電話端末１へ送信する。
【００８９】
そして、携帯電話端末１は、マウス装置１１Ｍから送られてきた第三のリンクキーと、前記新たな乱数とＰＩＮコードを基に生成しておいた第三のリンクキーとを照合し、その照合の結果、両者が一致していれば認証成功として認証プロセスを終了し、一致しなければ認証失敗として認証プロセスを終了する。
【００９０】
当該認証プロセスが完了した後は、それら携帯電話端末１とマウス装置１１Ｍとの間の近距離無線通信の接続が確立し、無線通信が可能な状態となる。
【００９１】
次に、本実施形態の無線通信システムにおいて、携帯電話端末１は、マウス装置１１Ｍとの間の認証プロセスで使用した前記第三のリンクキーを、無線通信により、パーソナルコンピュータ１１Ｐへ送信する。
【００９２】
その後、本実施形態の無線通信システムにおいて、パーソナルコンピュータ１１Ｐとマウス装置１１Ｍとの間では、前記第一のリンクキー若しくは前記第三のリンクキーを用いて無線認証が行われる。
【００９３】
そして、当該無線認証が完了すると、図４の（Ｃ）に示すように、それらパーソナルコンピュータ１１Ｐとマウス１１Ｍとの間の近距離無線通信の接続が確立し、無線通信が可能な状態となる。
【００９４】
なお、図４の例では、先ずパーソナルコンピュータ１１Ｐと携帯電話端末１との間で接点端子の接続及び認証プロセスが実行され、次に、キーボード１１Ｋと携帯電話端末１との間で接点端子の接続及び認証プロセスが実行され、その後、マウス装置１１Ｍと携帯電話端末１との間で接点端子の接続及び認証プロセスが実行された例を挙げたが、それらの順序は何れが先であってもよい。
【００９５】
また、この図４の例についても前述同様に、例えば接点端子を接続した後、特定のボタンを押すなどの所定の操作がなされた時に情報の取り込みや転送が行われても良い。
【００９６】
図５には、ブルートゥース無線通信方式等を利用した近距離無線通信が可能な本発明実施形態の無線通信端末の例として、携帯電話端末１と三つのパーソナルコンピュータ１１Ｐ１，１１Ｐ２，１１Ｐ３とからなる四つの機器を挙げ、本実施形態の携帯電話端末１を介して、パーソナルコンピュータ１１Ｐ１〜１１Ｐ３を相互にペアリングする場合の無線通信システムの概略構成例を示す。
【００９７】
この図５において、近距離無線通信機能を備えたパーソナルコンピュータ１１Ｐ１，１１Ｐ２，１１Ｐ３は、それぞれ前述同様に、本実施形態の携帯電話端末１との間で直接電気的に接続するための接点端子（図５では図示は省略している。）を備えている。
【００９８】
この図５に示した無線通信システムにおいて、パーソナルコンピュータ１１Ｐ１、１１Ｐ２，１１Ｐ３の間で相互にブルートゥース無線通信方式を利用した近距離無線通信を行うような場合には、先ず、図５の（Ａ）に示すように、前記携帯電話端末１の接点端子２とパーソナルコンピュータ１１Ｐ１の接点端子とを電気的に接続する。
【００９９】
これら携帯電話端末１とパーソナルコンピュータ１１Ｐ１の接点端子同士が電気的に接続された状態となされると、スレーブ端末となったパーソナルコンピュータ１１Ｐ１のアドレス，デバイス名などが、前記接点端子を通じてマスタ端末側の携帯電話端末１へ送信され、その後、これら携帯電話端末１とパーソナルコンピュータ１１Ｐ１は認証プロセスへ移行する。
【０１００】
当該認証プロセスへ移行した場合、マスタ端末側の携帯電話端末１は、前述同様に、乱数とＰＩＮコードとを、スレーブ端末であるパーソナルコンピュータ１１Ｐへ送信するとともに、リンクキーを生成する。以下、当該乱数とＰＩＮコードを基に生成されたリンクキーを第一のリンクキーと表記する。
【０１０１】
一方、認証プロセスへ移行したスレーブ側のパーソナルコンピュータ１１Ｐ１は、携帯電話端末１から送られてきた乱数及びＰＩＮコードに基づいてリンクキー（第一のリンクキー）を生成し、そのリンクキーを携帯電話端末１へ送信する。
【０１０２】
そして、携帯電話端末１は、パーソナルコンピュータ１１Ｐ１から送られてきた第一のリンクキーと、先に自機内で生成しておいた第一のリンクキーとを照合し、その照合の結果、両者が一致していれば認証成功として認証プロセスを終了し、一致しなければ認証失敗として認証プロセスを終了する。
【０１０３】
当該認証プロセスが完了した後は、それら携帯電話端末１とパーソナルコンピュータ１１Ｐ１との間の近距離無線通信の接続が確立し、無線通信が可能な状態となる。
【０１０４】
次に、この図５の無線通信システムでは、図５の（Ｂ）に示すように、前記携帯電話端末１の接点端子２と、パーソナルコンピュータ１１Ｐ２の接点端子とが電気的に接続した状態となされる。
【０１０５】
これら携帯電話端末１とパーソナルコンピュータ１１Ｐ２の接点端子同士が電気的に接続された状態となされると、スレーブ端末となったパーソナルコンピュータ１１Ｐ２のアドレス，デバイス名などが、前記接点端子を通じてマスタ端末側の携帯電話端末１へ送信され、その後、これら携帯電話端末１とパーソナルコンピュータ１１Ｐ２は認証プロセスへ移行する。
【０１０６】
当該認証プロセスへ移行した場合、マスタ端末である携帯電話端末１は、新たに乱数を発生させ、当該新たな乱数、前記ＰＩＮコード、及び、先のパーソナルコンピュータ１１Ｐ１との間の認証プロプロセスで使用した第一のリンクキーを、スレーブ端末であるパーソナルコンピュータ１１Ｐ２へ送信する。またこの時の携帯電話端末１は、当該新たな乱数と前記ＰＩＮコードとから、新たなリンクキーも生成する。当該新たな乱数と前記ＰＩＮコードを基に生成されたリンクキーを第二のリンクキーと表記する。
【０１０７】
一方、認証プロセスへ移行したスレーブ側のパーソナルコンピュータ１１Ｐ２は、携帯電話端末１から送られてきた、前記新たな乱数と前記ＰＩＮコードに基づいてリンクキー（第二のリンクキー）を生成し、そのリンクキーを携帯電話端末１へ送信する。
【０１０８】
そして、携帯電話端末１は、パーソナルコンピュータ１１Ｐ２から送られてきた第二のリンクキーと、前記新たな乱数とＰＩＮコードを基に生成しておいた第二のリンクキーとを照合し、その照合の結果、両者が一致していれば認証成功として認証プロセスを終了し、一致しなければ認証失敗として認証プロセスを終了する。
【０１０９】
次に、本実施形態の無線通信システムにおいて、携帯電話端末１は、パーソナルコンピュータ１１Ｐ２との間の認証プロセスで使用した前記第二のリンクキーを、無線通信により、パーソナルコンピュータ１１Ｐ１へ送信する。
【０１１０】
その後、本実施形態の無線通信システムにおいて、パーソナルコンピュータ１１Ｐ１とパーソナルコンピュータ１１Ｐ２との間では、前記第一のリンクキー若しくは前記第二のリンクキーを用いて無線認証が行われる。
【０１１１】
そして、当該無線認証が完了すると、図５の（Ｄ）に示すように、それらパーソナルコンピュータ１１Ｐ１とパーソナルコンピュータ１１Ｐ２との間の近距離無線通信の接続が確立し、無線通信が可能な状態となる。
【０１１２】
また、この図５の無線通信システムでは、図５の（Ｃ）に示すように、前記携帯電話端末１の接点端子２と、パーソナルコンピュータ１１Ｐ３の接点端子とが電気的に接続した状態となされる。
【０１１３】
これら携帯電話端末１とパーソナルコンピュータ１１Ｐ３の接点端子同士が電気的に接続された状態になされると、スレーブ端末となったパーソナルコンピュータ１１Ｐ３のアドレス，デバイス名などが、前記接点端子を通じてマスタ端末側の携帯電話端末１へ送信され、その後、これら携帯電話端末１とパーソナルコンピュータ１１Ｐ３は認証プロセスへ移行する。
【０１１４】
当該認証プロセスへ移行した場合、マスタ端末側の携帯電話端末１は、新たに乱数を発生させ、当該新たな乱数、前記ＰＩＮコード、及び、先のパーソナルコンピュータ１１Ｐ１との間の認証プロプロセスで使用した第一のリンクキーと、パーソナルコンピュータ１１Ｐ２との間の認証プロセスで使用した第二のリンクキーとを、パーソナルコンピュータ１１Ｐ３へ送信する。またこの時の携帯電話端末１は、当該新たな乱数と前記ＰＩＮコードとから、新たなリンクキーも生成する。当該新たな乱数と前記ＰＩＮコードを基に生成されたリンクキーを第三のリンクキーと表記する。
【０１１５】
一方、認証プロセスへ移行したスレーブ側のパーソナルコンピュータ１１Ｐ３は、携帯電話端末１から送られてきた、前記新たな乱数と前記ＰＩＮコードに基づいてリンクキー（第三のリンクキー）を生成し、そのリンクキーを携帯電話端末１へ送信する。
【０１１６】
そして、携帯電話端末１は、パーソナルコンピュータ１１Ｐ３から送られてきた第三のリンクキーと、前記新たな乱数とＰＩＮコードを基に生成しておいた第三のリンクキーとを照合し、その照合の結果、両者が一致していれば認証成功として認証プロセスを終了し、一致しなければ認証失敗として認証プロセスを終了する。
【０１１７】
当該認証プロセスが完了した後は、それら携帯電話端末１とパーソナルコンピュータ１１Ｐ３との間の近距離無線通信の接続が確立し、無線通信が可能な状態となる。
【０１１８】
次に、本実施形態の無線通信システムにおいて、携帯電話端末１は、パーソナルコンピュータ１１Ｐ３との間の認証プロセスで使用した前記第三のリンクキーを、無線通信を通じて、前記パーソナルコンピュータ１１Ｐ１及びパーソナルコンピュータ１１Ｐ２へ送信する。
【０１１９】
その後、本実施形態の無線通信システムにおいて、パーソナルコンピュータ１１Ｐ１とパーソナルコンピュータ１１Ｐ３との間、及び、パーソナルコンピュータ１１Ｐ２とパーソナルコンピュータ１１Ｐ３との間では、前記第一のリンクキー乃至第三のリンクキーの何れかを用いてそれぞれ無線認証が行われる。
【０１２０】
そして、当該無線認証が完了すると、図５の（Ｄ）に示すように、それらパーソナルコンピュータ１１Ｐ１とパーソナルコンピュータ１１Ｐ３、及び、パーソナルコンピュータ１１Ｐ２とパーソナルコンピュータ１１Ｐ３との間の近距離無線通信の接続がそれぞれ確立して、無線通信が可能な状態となる。
【０１２１】
なお、図５の例では、先ずパーソナルコンピュータ１１Ｐ１と携帯電話端末１との間で接点端子の接続及び認証プロセスが実行され、次に、パーソナルコンピュータ１１Ｐ２と携帯電話端末１との間で接点端子の接続及び認証プロセスが実行され、その後、パーソナルコンピュータ１１Ｐ３と携帯電話端末１との間で接点端子の接続及び認証プロセスが実行された例を挙げたが、それらの順序は何れが先であってもよい。
【０１２２】
また、この図５の例についても前述同様に、例えば接点端子を接続した後、特定のボタンを押すなどの所定の操作がなされた時に情報の取り込みや転送が行われても良い。
【０１２３】
図６には、本発明実施形態にかかる近距離無線通信の他の例として、例えばいわゆるワイファイ（ＷｉＦｉ：登録商標）規格の無線通信方式を挙げ、当該ワイファイ規格の近距離無線通信が可能な本発明実施形態の携帯電話端末１と無線アクセスポイント機器１１Ｗとパーソナルコンピュータ１１Ｐの三つの機器からなる無線通信システムの概略構成例を示す。
【０１２４】
この図６の例では、本実施形態の携帯電話端末１を介して、無線アクセスポイント機器１１Ｗとパーソナルコンピュータ１１Ｐとをペアリングする場合の無線通信システムについて説明する。
【０１２５】
この図６に示した無線通信システムにおいて、無線アクセスポイント機器１１Ｗとパーソナルコンピュータ１１Ｐとの間でワイファイ近距離無線通信を行うような場合には、先ず、図６の（Ａ）に示すように、前記携帯電話端末１の接点端子２と、無線アクセスポイント機器１１Ｗの接点端子とを電気的に接続した状態とする。
【０１２６】
これら携帯電話端末１と無線アクセスポイント機器１１Ｗの接点端子同士が電気的に接続された状態となされると、前記接点端子を通じて、携帯電話端末１からのリクエスト送信や、無線アクセスポイント機器１１のＭＡＣ（Media Access Control）アドレスやサポート通信速度などの情報応答がなされた後、それら携帯電話端末１と無線アクセスポイント機器１１ＷはＥＡＰ（Extensible Authentication Protocol）によるユーザ認証プロセスへ移行する。
【０１２７】
当該ユーザ認証プロセスへ移行すると、携帯電話端末１は、接点端子を通じて、ＥＡＰデータを無線アクセスポイント機器１１Ｗへ送信する。一方、無線アクセスポイント機器１１Ｗは、そのＥＡＰデータを基にユーザを認証し、当該ユーザ認証がＯＫである場合に暗号鍵を接点端子を通じて携帯電話端末１へ送信する。
【０１２８】
そして、当該ユーザ認証プロセスが完了した後は、それら携帯電話端末１と無線アクセスポイント機器１１Ｗとの間でワイファイ無線通信の接続が確立し、無線通信が可能な状態となる。
【０１２９】
次に、この図６の無線通信システムでは、図６の（Ｂ）に示すように、前記携帯電話端末１の接点端子２と、パーソナルコンピュータ１１Ｐの接点端子とが電気的に接続した状態となされる。
【０１３０】
これら携帯電話端末１とパーソナルコンピュータ１１Ｐの接点端子同士が電気的に接続された状態となされると、携帯電話端末１は、前記無線アクセスポイント機器１１Ｗから取得した暗号鍵とＭＡＣアドレスやサポート通信速度などの情報を、接点端子を通じてパーソナルコンピュータ１１Ｐへ送信する。
【０１３１】
その後、それら携帯電話端末１とパーソナルコンピュータ１１Ｐとの間の接点端子の電気的な接続が切り離されると、図６の（Ｃ）に示すように、パーソナルコンピュータ１１Ｐは、携帯電話端末１から取得した暗号鍵、ＭＡＣアドレスやサポート通信速度などの情報を用いて、無線アクセスポイント機器１１Ｗとの間でワイファイ無線通信が可能な状態となる。
【０１３２】
なお、図２〜図６の例では、本発明にかかる無線通信端末として、それぞれ近距離無線通信機能を備えたテレビジョン受像機１１Ｔや、ヘッドセット１１ＨＳ、ヘッドフォン１１ＨＰ、据え置き型オーディオ機器１１Ａ、パーソナルコンピュータ１１Ｔ、キーボード１１Ｋ、マウス装置１１Ｍ、無線アクセスポイント機器１１Ｗ等を挙げている。もちろんこれらは一例であり、他の携帯電話端末等であってもよい。
【０１３３】
また、この図６の例についても前述同様に、例えば接点端子を接続した後、特定のボタンを押すなどの所定の操作がなされた時に情報の取り込みや転送が行われても良い。
【０１３４】
［携帯電話端末と無線通信端末の概略内部構成例］
図７には、本実施形態の携帯電話端末１と他の無線通信端末１１の概略的な一内部構成例を示す。なお、図７に示した無線通信端末１１は、前述の図２〜図６に例示したテレビジョン受像機１１Ｔ、ヘッドセット１１ＨＳ、ヘッドフォン１１ＨＰ等の各機器の何れであってもよい。また、図７には本発明にかかる主要部のみを示しており、したがって、図７では図示されていないが、携帯電話端末１は一般的な携帯電話端末が備えている各種内部構成要素についても当然のことながら備えている。同様に、無線通信端末１１は、前述したテレビジョン受像機やヘッドセット，ヘッドフォン等の何れかである場合、その端末が一般に有している各種内部構成要素についても備えている。
【０１３５】
この図７に示す携帯電話端末１において、アンテナ６は、近距離無線通信用アンテナであり、通信部４は、近距離無線通信のための送受信回路である。制御部３は、近距離無線通信される送信データの生成や符号化、受信データの復号、認証及びペアリングのための各種処理等を実行する。また、制御部３は、後述するように、切替部５内の切替スイッチを制御するための切替制御信号を生成する。
【０１３６】
無線通信端末１１も同様に、アンテナ１６は、近距離無線通信用のアンテナであり、通信部１４は、近距離無線通信のための送受信回路である。制御部１３は、近距離無線通信される送信データの生成や符号化、受信データの復号、認証及びペアリングのための各種処理等を実行し、また、切替部１５内の切替スイッチを制御するための切替制御信号を生成する。
【０１３７】
［切替部の構成及び制御部による切替制御］
図８と図９を参照しながら切替部の構成及び制御部による切替制御について説明する。なお、図８，図９には、携帯電話端末１の切替部５のみを示しているが、無線通信端末１１の切替部１５も当該携帯電話端末１の切替部５と同様の構成を有し、また同様の切替制御がなされるため、ここでは無線通信端末１１の切替部１５側の構成及びその説明については省略する。
【０１３８】
切替部５は、その内部に、二つの被切替端子５ａ，５ｂと、それら二つの被切替端子５ａ，５ｂの何れか一方に切替接続される共通端子５ｃとを備えている。そして、前記被切替端子５ａはアンテナ６に接続され、被切替端子５ｂは前記接点端子２に接続され、共通端子５ｃは通信部４に接続されている。すなわち切替部５は、アンテナ６と通信部４を接続するアンテナ経路と、通信部４と接点端子２とを接続する接点端子経路とを、切り替え可能となされている。前記被切替端子５ａ，５ｂの何れが共通端子５ｃに接続されるか、つまり、アンテナ６と通信部４を接続するアンテナ経路と、通信部４と接点端子２とを接続する接点端子経路の何れを使用するかは、制御部３からの切替制御信号により決められる。
【０１３９】
本実施形態の場合、制御部３は、近距離無線通信機能が起動する前の初期状態では、前記被切替端子５ｂを共通端子５ｃへ接続させるように、つまり接点端子経路が選ばれるように制御する。
【０１４０】
これにより、当該初期状態の時の前記通信部４は、前記被切替端子５ｂ側が選ばれた切替部５を介して、前記接点端子２に接続された状態となされている。
【０１４１】
ここで、制御部３は、例えば通信部４を介して接点端子２の状態を定期的或いは常時監視しており、前記接点端子２が例えば無線通信端末１１の接点端子１２と接続されたことで信号送受信が可能になったか否かを判定している。
【０１４２】
この監視及び判定により、接点端子２が例えば無線通信端末１１の接点端子１２と接続されたことで信号送受信が可能になったことを認識すると、制御部３は、通信部４と、前記被切替端子５ｂ側に切り替えられている切替部５と、前記接点端子２、さらに、前記接点端子１２を介して無線通信端末１１と接続して、近距離無線通信用の自己アドレスやリンクキーを当該無線通信端末１１との間で送受信する。すなわちこの場合、携帯電話端末１と無線通信端末１１は、従来の近距離無線通信の場合はアンテナ６，１６を通じて行われる自己アドレスやリンクキーの送受信を、前記接点端子２及び接点端子１２を介して直接行う。
【０１４３】
そして、接点端子２及び接点端子１２による接点端子接続状態となされた携帯電話端末１と無線通信端末１１は、前記送受信した自己アドレスやリンクキーを用いてペアリング処理（認証処理）を実行する。
【０１４４】
次に、制御部３は、前記無線通信端末１１との間のペアリング処理が完了した後、前記被切替端子５ｂから前記被切替端子５ａへ接続を切り替えさせる切替制御信号を、切替部５へ送出する。
【０１４５】
これにより、通信部４は、前記被切替端子５ａ側が選ばれた切替部５、つまり接点端子経路を介して、前記アンテナ６に接続された状態となり、当該アンテナ６を介した近距離無線通信が可能な状態となる。すなわち、携帯電話端末１と無線通信端末１１は、それぞれアンテナ６，１６を介した近距離無線通信が可能な状態（近距離無線接続が確立した状態）となる。
【０１４６】
これにより、携帯電話端末１と無線通信端末１１との間では、近距離無線通信を行うことができることになる。
【０１４７】
その後、近距離無線通信が終了すると、制御部３は、前記切替部５を前記被切替端子５ｂ側に切り替え、前述した初期状態に戻る。
【０１４８】
［切替部の制御と認証処理の制御フローチャート］
図１０には、前述した切替部の切替スイッチ制御及び認証制御のフローチャートを示す。なお、この図１０に示すフローチャートの制御処理は、制御部３，１３が本発明にかかる制御プログラムを実行することにより行われる処理である。以下の説明では、携帯電話端末１の制御部３を例に挙げて説明するが、無線通信端末１１の制御部１３においても同様に動作する。
【０１４９】
この図１０において、制御部３は、初期設定では切替スイッチを接点端子側としている。このとき、制御部３は、接点端子２の状態を定期的或いは常時監視しており、ステップＳ１の処理として、前記接点端子２が無線通信端末１１の接点端子１２と接続されたか否か判定する。当該ステップＳ１の判定処理において、接点端子２が接続されたと判定した場合、制御部３はステップＳ２へ処理を進める。
【０１５０】
ステップＳ２の処理に進むと、制御部３は、接点端子２に接続された機器が、本実施形態にかかる無線通信端末１１のように接点端子２を介した認証処理が可能な機器であるか否か判定し、認証処理ができない機器であると判定した時にはこの図１０のフローチャートの処理を終了し、一方、認証処理が可能な機器であると判定した時にはステップＳ３へ処理を進める。
【０１５１】
ステップＳ３の処理に進むと、制御部３は、接点端子２を介して前記無線通信端末１１の認証処理を実行し、次に、ステップＳ４の処理として認証が完了したか否か判定する。当該ステップＳ４の判定処理において、何らかの理由により認証が出来なかった場合、制御部３は、この図１０のフローチャートの処理を終了し、一方、認証完了と判定した場合にはステップＳ５へ処理を進める。
【０１５２】
ステップＳ５の処理に進むと、制御部３は、接点端子２が切り離されたか否か判定し、切り離されたと判定できた場合にステップＳ６へ処理を進める。
【０１５３】
ステップＳ６の処理に進むと、制御部３は、切替部５の切替スイッチをアンテナ６側に切り替えさせる。
【０１５４】
次に、制御部３は、ステップＳ７の処理として、アンテナ６を通じた無線通信により無線通信の確認処理を実行し、その後、ステップＳ８の処理として、無線通信の確立が確認できたか判定する。
【０１５５】
当該ステップＳ８において無線通信が確立しなかった場合、制御部３は、後述するステップＳ１１へ処理を進め、一方、無線通信が確立した場合にはステップＳ９へ処理を進める。
【０１５６】
ステップＳ９の処理に進むと、制御部３は、通信部４に対して無線通信を実行させるとともに、ステップＳ１０の処理として、無線通信が切断されたか否か判定し、無線通信が切断されるまで、ステップＳ９とステップＳ１０の処理を続ける。
【０１５７】
ステップＳ１０にて無線通信が切断されたと判定すると、制御部３は、ステップＳ１１へ処理を進める。
【０１５８】
ステップＳ１１の処理に進むと、制御部３は、切替部５の切替スイッチを接点端子側へ切り替え、この図１０のフローチャートの処理を終了する。
【０１５９】
［携帯電話端末と無線通信端末の他の内部構成例］
図１１には、本実施形態の携帯電話端末１と無線通信端末１１の他の内部構成例を示す。すなわち、前述した図７は、切替スイッチにより物理的に前記アンテナ経路と接点端子経路を切り替える構成を挙げたが、図１１の構成においては、物理的な切替スイッチを備えず、通信部の内部処理により、アンテナ側へ信号を供給するか又は接点端子側へ信号を供給するかを切り替え、或いは、アンテナや接点端子側を通じて送受信される信号にスクランブルを施すか又は施さないかを切り替え制御することにより、図７の構成と略々同じ作用効果を実現する。
【０１６０】
なお、この図１１に示した無線通信端末１１は、前述の図７の例と同様に図２〜図６に例示したテレビジョン受像機、ヘッドセット、ヘッドフォン等の各機器の何れであってもよい。また、図１１には本発明にかかる主要部のみを示している。
【０１６１】
この図１１に示す携帯電話端末１において、アンテナ６は、図７の例と同様の近距離無線通信用アンテナであり、通信部７は、近距離無線通信のための送受信回路である。但し、通信部７は、後述するように、内部処理により接点端子とアンテナの何れかを用いた通信を実現可能となされている。また、制御部３は、前述同様に、近距離無線通信される送信データの生成や符号化、受信データの復号、認証及びペアリングのための各種処理等を実行する。但し、この図１１の例の場合、制御部３は、後述するように、通信部７の内部処理により接点端子とアンテナの何れかを用いた通信を実現するための制御信号を生成し、その制御信号を通信部７へ送る。
【０１６２】
無線通信端末１１も同様に、アンテナ１６は、近距離無線通信用のアンテナであり、通信部１７は、近距離無線通信のための送受信回路であると共に、後述するように、内部処理により接点端子とアンテナの何れかを用いた通信を実現可能となされている。また、制御部１３は、近距離無線通信される送信データの生成や符号化、受信データの復号、認証及びペアリングのための各種処理等を実行するとともに、通信部１７の内部処理により接点端子とアンテナの何れかを用いた通信を実現するための制御信号を生成し、その制御信号を通信部１７へ送る。
【０１６３】
［通信部内のパワーアンプのオン／オフ制御による信号切り替えの構成例］
図１２には、通信部の内部処理により接点端子とアンテナの何れかを用いた通信を実現するための一構成例を示す。なお、図１２には、携帯電話端末１の通信部７のみを示しているが、無線通信端末１１の通信部１７も同様の構成を有し、また同様に制御されるが、ここでは無線通信端末１１の通信部１７側の構成及びその説明については省略する。
【０１６４】
本実施形態において、通信部７は、バンドパスフィルタ２２，２４，２７と、第一のデュープレクサ（アンテナ共用器）２５と、第二のデュープレクサ（接点端子共用器）３０と、ローノイズアンプ２８と、パワーアンプ２３と、発振器３０と、バッファアンプ３１と、トランシーバ回路２１等を有して構成されている。
【０１６５】
第一のデュープレクサ２５は、通信部７内において送信経路と受信経路とでアンテナ６を切り替え使用するためのアンテナ共用器である。すなわち、第一のデュープレクサ２５は、信号送信時には、送信経路とアンテナ６とを接続するように切り替えられ、一方、信号受信時には、アンテナ６と受信経路とを接続するように切り替えられる。なお、当該第一のデュープレクサ２５の経路切替は制御部３により行われる。
【０１６６】
トランシーバ回路２１は、信号送信時には、信号入出力端子３２を介して前記制御部３から供給される送信信号に対して、例えば周波数変換、変調等の規定の送信処理を施し、その送信処理後の送信信号を送信経路のバンドパスフィルタ２２へ出力する。一方、トランシーバ回路２１は、信号受信時には、受信経路のローノイズアンプ２８から供給された受信信号に対して、例えば復調、周波数変換等の規定の受信処理を施し、その受信処理後の受信信号を、信号入出力端子３２を介して前記制御部３へ送出する。なお、トランシーバ回路２１は、発振器３１により出力され、さらにバッファアンプ３２を介して供給される基準発振信号を基に、前記周波数変換等を行うようになされている。
【０１６７】
すなわち、この図１２の構成において、信号送信時には、トランシーバ回路２１から出力された送信信号が、送信経路のバンドパスフィルタ２２にて帯域通過処理され、次いで、パワーアンプ２３により増幅され、さらにバンドパスフィルタ２４を介した後、第一のデュープレクサ２５からアンテナ６へ送られ、当該アンテナ６から送信される。
【０１６８】
一方、この図１２の構成において、信号受信時には、アンテナ６にて受信された受信信号が、第一のデュープレクサ２５を介して受信経路のバンドパスフィルタ２７へ送られ、さらにローノイズアンプ２８を介してトランシーバ回路２１へ送られる。
【０１６９】
また、図１２の構成において、前記バンドパスフィルタ２２とパワーアンプ２３との間の送信経路と、ローノイズアンプ２８とトランシーバ回路２１との間の受信経路は、第二のデュープレクサ３０にも接続されている。
【０１７０】
当該第二のデュープレクサ３０は、前記第一のデュープレクサ２５と連動し、通信部７内において送信経路と受信経路とで接点端子２を切り替え使用するための接点端子共用器となされている。すなわち、第二のデュープレクサ３０は、信号送信時には、送信経路と接点端子２とを接続するように切り替えられ、一方、信号受信時には、接点端子２と受信経路とを接続するように切り替えられる。なお、当該第二のデュープレクサ３０の経路切替は制御部３により行われる。
【０１７１】
ここで、本実施形態において、送信経路のパワーアンプ２３は、制御信号入力端子３５を介して制御部３から供給されるパワーアンプオン／オフ制御信号により、出力のオン／オフ、言い換えるれば信号の通過／遮断が制御されるようになされている。
【０１７２】
したがって、例えば信号送信時において、パワーアンプオン／オフ制御信号により前記出力がオン状態になされた場合、当該パワーアンプ２３から出力された送信信号はアンテナ６側へ送られることになるが、パワーアンプオン／オフ制御信号により前記出力がオフ状態になされた場合には、送信経路のバンドパスフィルタ２２から出力された送信信号はアンテナ側６へは送られずに遮断されることになる。すなわち、本実施形態において、パワーアンプオン／オフ制御信号により前記出力がオフ状態になされた場合には、アンテナ６を用いた無線通信はできないことになる。
【０１７３】
これに対し、本実施形態において、信号送信時、接点端子２からは、パワーアンプオン／オフ制御信号により前記出力がオン／オフ何れの状態になった場合であっても送信信号が出力される。すなわち、本実施形態においては、接点端子２が例えば他の無線通信端末１１の接点端子１２と接続されている場合には、それら接点端子２を通じて送受する有線通信が可能となる。
【０１７４】
この図１２の構成例において、前記制御部３は、接点端子２の状態を定期的或いは常時監視しており、当該接点端子２が例えば無線通信端末１１の接点端子１２と接続されたか否かを判定しており、接点端子２が接続されたと判定した場合には、前記パワーアンプオン／オフ制御信号にて前記パワーアンプ２３を出力オフ状態に制御する。
【０１７５】
そして、このように接点端子による有線接続がなされている時、前述のような認証に使用される各データが、当該有線接続を通じてやり取りされる。これにより、図１２に示す本実施形態の構成例によれば、接点端子２が無線通信端末１１の接点端子１２と接続された時にはこれら接点端子２，１２を介した有線接続により信号の送受信が行われるため認証が可能となり、一方で、アンテナ６による無線送信はなされないため、前記認証用の各データが外部へ漏れるのを防ぐことができる。
【０１７６】
［パワーアンプのオン／オフと認証処理の制御フローチャート］
図１３には、図１２の構成において、制御部３によるパワーアンプ２３のオン／オフ制御及び認証制御のフローチャートを示す。なお、この図１３に示すフローチャートの制御処理は、制御部３，１３が本発明にかかる制御プログラムを実行することにより行われる処理であるが、以下の説明では、携帯電話端末１の制御部３のみを例に挙げて説明する。
【０１７７】
この図１３において、制御部３は、初期設定ではパワーアンプ２３を出力オフ状態に制御している。このとき、制御部３は、接点端子２の状態を定期的或いは常時監視しており、ステップＳ２１の処理として、前記接点端子２が無線通信端末１１の接点端子１２と接続されたか否か判定する。当該ステップＳ２１の判定処理において、接点端子２が接続されたと判定した場合、制御部３はステップＳ２２へ処理を進める。
【０１７８】
ステップＳ２２の処理に進むと、制御部３は、接点端子２に接続された機器が、本実施形態の無線通信端末１１のように接点端子２を介した認証処理が可能な機器であるか否か判定し、認証処理ができない機器であると判定した時にはこの図１３のフローチャートの処理を終了し、一方、認証処理が可能な機器であると判定した時にはステップＳ２３へ処理を進める。
【０１７９】
ステップＳ２３の処理に進むと、制御部３は、接点端子２を介して前記無線通信端末１１の認証処理を実行し、次に、ステップＳ２４の処理として認証が完了したか否か判定する。当該ステップＳ２４の判定処理において、何らかの理由により認証が出来なかった場合、制御部３は、この図１３のフローチャートの処理を終了し、一方、認証完了と判定した場合にはステップＳ２６へ処理を進める。なお、認証完了の判断は、例えば、接点端子２が切り離されることによりなされてもよい。例えば、前述のようなリンクキーの照合に基づく認証成功の判断の後、さらに接点端子２が切り離された時に、ステップＳ２６の処理へ進めるようにしてもよい。
【０１８０】
ステップＳ２６の処理に進むと、制御部３は、パワーアンプ２３を出力オン状態に制御、すなわち、バンドパスフィルタ２２からの送信信号を増幅してバンドパスフィルタ２４側へ出力する状態に制御する。
【０１８１】
次に、制御部３は、ステップＳ２７の処理として、アンテナ６を通じた無線通信により無線通信の確認処理を実行し、その後、ステップＳ２８の処理として、無線通信の確立が確認できたか判定する。
【０１８２】
当該ステップＳ２８において無線通信が確立しなかった場合、制御部３は、後述するステップＳ３１へ処理を進め、一方、無線通信が確立した場合にはステップＳ２９へ処理を進める。
【０１８３】
ステップＳ２９の処理に進むと、制御部３は、通信部７に対して無線通信を実行させるとともに、ステップＳ３０の処理として、無線通信が切断されたか否か判定し、無線通信が切断されるまで、ステップＳ２９とステップＳ３０の処理を続ける。
【０１８４】
ステップＳ３０にて無線通信が切断されたと判定すると、制御部３は、ステップＳ３１へ処理を進める。
【０１８５】
ステップＳ３１の処理に進むと、制御部３は、パワーアンプ２３を前記出力オフ状態に戻した後、この図１３のフローチャートの処理を終了する。
【０１８６】
［通信部のスクランブル／デスクランブルの実行／非実行による情報保護の構成例］
次に、図１４には、本実施形態の携帯電話端末１と無線通信端末１１のさらに他の内部構成例を示す。この図１４の例では、接点端子２を介した有線通信を行う場合にのみ、通信部７，１７において送信信号に対して特定のスクランブル処理を施すことにより、例えアンテナ６から無線送信された信号（例えば認証用のデータ等）が他の端末にて受信されたとしても、当該他の端末ではその信号を復元できないようにしている。なお、図１４には、携帯電話端末１の通信部７のみを示しているが、無線通信端末１１の通信部１７も同様の構成を有し、また同様に制御されるが、ここでは無線通信端末１１の通信部１７側の構成及びその説明については省略する。
【０１８７】
この図１４の構成例において、通信部７は、バンドパスフィルタ２２，２４，２７と、デュープレクサ２５と、ローノイズアンプ２８と、パワーアンプ２６と、発振器３０と、バッファアンプ３１と、トランシーバ回路２９等を有して構成されている。
【０１８８】
バンドパスフィルタ２２，２４，２７、ローノイズアンプ２８、発振器３０、バッファアンプ３１は、前述の図１２に示したものと同様である。
【０１８９】
デュープレクサ２５は、前記図１２の第一のデュープレクサ２５と同様に、通信部７内において送信経路と受信経路とでアンテナ６を切り替え使用するためのアンテナ共用器である。すなわち、デュープレクサ２５は、信号送信時には、送信経路とアンテナ６とを接続するように切り替えられ、一方、信号受信時には、アンテナ６と受信経路とを接続するように切り替えられる。
【０１９０】
トランシーバ回路２９は、信号入出力端子３２を介して供給される送信信号に対して、周波数変換、変調等の規定の送信処理を施し、その送信処理後の送信信号を、送信系のバンドパスフィルタ２２へ出力する。また、トランシーバ回路２９は、受信経路のローノイズアンプ２８から供給された受信信号に対して、復調、周波数変換等の規定の受信処理を施し、その受信処理後の受信信号を、信号入出力端子３２を介して前記制御部３へ送出する。
【０１９１】
ここで、この図１４に示した構成例の場合、当該トランシーバ回路２９は、送／受信信号に対してスクランブル／デスクランブル処理を施すモード（以下、スクランブル／デスクランブル実行モードと表記する。）と、送／受信信号に対してスクランブル／デスクランブル処理を行わないモード（以下、スクランブル／デスクランブル非実行モードと表記する。）とを切替可能となされている。
【０１９２】
また、当該トランシーバ回路２９において、前記スクランブル／デスクランブル実行モードと前記スクランブル／デスクランブル非実行モードの何れになされるかは、制御端子３７を介して制御部３から供給されるスクランブル制御信号により決められる。そして、本実施形態の場合、制御部３は、接点端子２を介して信号を送／受信する場合には、前記トランシーバ回路２９を前記スクランブル／デスクランブル実行モードに制御し、一方、接点端子２を介して信号を送受信しない場合には、前記トランシーバ回路２９を前記スクランブル／デスクランブル非実行モードに制御する。
【０１９３】
すなわち、図１４の実施形態の場合の前記制御部３は、接点端子２の状態を定期的或いは常時監視しており、当該接点端子２が例えば無線通信端末１１の接点端子１２と接続されたか否かを判定しており、接点端子２が接続されたと判定した場合には、前記トランシーバ回路２１をスクランブル／デスクランブル実行モードにするためのスクランブル制御信号を出力し、一方、接点端子２が接続されていないと判定した場合には、前記トランシーバ回路２１をスクランブル／デスクランブル非実行モードにするためのスクランブル制御信号を出力する。
【０１９４】
これにより、この図１４の構成において、接点端子２が無線通信端末１１の接点端子１２と接続された時には、それら接点端子２，１２を介した有線接続により信号送／受信が行われるとともに、トランシーバ回路２９ではスクランブル／デスクランブルが実行されるため、携帯電話端末１と無線通信端末１１との間の信号通信が可能となる。
【０１９５】
なお、この図１４の構成例の場合、信号送信時にはアンテナ６からも信号が送出されることになる。ただし、本実施形態の場合、接点端子２を介して携帯電話端末１と接続されていない別の無線通信端末（つまり無線通信端末１１とは別の端末）では、トランシーバ回路２９がスクランブル／デスクランブル非実行モードとなされているため、当該別の端末のアンテナにて受信された信号に施されているスクランブルを解くことはできない。すなわち、本実施形態によれば、接点端子２，１２同士が接続された携帯電話端末１と無線通信端末１１との間でのみデスクランブルが可能となるため、それら接点端子２，１２の有線接続を通じて送受信されている情報が、例えば別の無線通信端末に漏れてしまうような虞はない。
【０１９６】
［スクランブル／デスクランブルと認証処理の制御フローチャート］
図１５には、図１４の構成において、制御部３によるトランシーバ回路２９のスクランブル／デスクランブルのモード制御及び認証制御のフローチャートを示す。なお、この図１５に示すフローチャートの制御処理は、制御部３，１３が本発明にかかる制御プログラムを実行することにより行われる処理であるが、以下の説明では、携帯電話端末１の制御部３のみを例に挙げて説明する。
【０１９７】
この図１５において、制御部３は、初期設定ではトランシーバ回路２９をスクランブル／デスクランブル実行モードに制御している。このとき、制御部３は、接点端子２の状態を定期的或いは常時監視しており、ステップＳ４１の処理として、前記接点端子２が無線通信端末１１の接点端子１２と接続されたか否か判定する。当該ステップＳ４１の判定処理において、接点端子２が接続されたと判定した場合、制御部３はステップＳ４２へ処理を進める。
【０１９８】
ステップＳ４２の処理に進むと、制御部３は、接点端子２に接続された機器が、本実施形態の無線通信端末１１のように接点端子２を介した認証処理が可能な機器であるか否か判定し、認証処理ができない機器であると判定した時にはこの図１５のフローチャートの処理を終了し、一方、認証処理が可能な機器であると判定した時にはステップＳ４３へ処理を進める。
【０１９９】
ステップＳ４３の処理に進むと、制御部３は、接点端子２を介して前記無線通信端末１１の認証処理を実行し、次に、ステップＳ４４の処理として認証が完了したか否か判定する。当該ステップＳ４４の判定処理において、何らかの理由により認証が出来なかった場合、制御部３は、この図１５のフローチャートの処理を終了し、一方、認証完了と判定した場合にはステップＳ４６へ処理を進める。なお、認証完了の判断は、例えば、接点端子２が切り離されることによりなされてもよい。例えば、前述のようなリンクキーの照合に基づく認証成功の判断の後、さらに接点端子２が切り離された時に、ステップＳ４６の処理へ進めるようにしてもよい。
【０２００】
ステップＳ４６の処理に進むと、制御部３は、トランシーバ回路２９をスクランブル／デスクランブル非実行モードへ制御する。
【０２０１】
次に、制御部３は、ステップＳ４７の処理として、アンテナ６を通じた無線通信により無線通信の確認処理を実行し、その後、ステップＳ４８の処理として、無線通信の確立が確認できたか判定する。
【０２０２】
当該ステップＳ４８において無線通信が確立しなかった場合、制御部３は、後述するステップＳ５１へ処理を進め、一方、無線通信が確立した場合にはステップＳ４９へ処理を進める。
【０２０３】
ステップＳ４９の処理に進むと、制御部３は、通信部７に対して無線通信を実行させるとともに、ステップＳ５０の処理として、無線通信が切断されたか否か判定し、無線通信が切断されるまで、ステップＳ４９とステップＳ５０の処理を続ける。
【０２０４】
ステップＳ５０にて無線通信が切断されたと判定すると、制御部３は、ステップＳ５１へ処理を進める。
【０２０５】
ステップＳ５１の処理に進むと、制御部３は、トランシーバ回路２９をスクランブル・デスクランブル実行モードに戻した後、この図１５のフローチャートの処理を終了する。
【０２０６】
［本実施形態における接続シーケンス］
図１６には、本実施形態の携帯電話端末１と無線通信端末１１との間における接点端子接続から近距離無線通信が確立するまでの一連の接続シーケンスを示す。なお、ここでは、携帯電話端末１と無線通信端末１１を特定せずに、マスタ端末，スレーブ端末と表記して説明する。
【０２０７】
図１６において、ステップＳ６１にて前述のように両端末の接点端子同士が接続された状態になると、近距離無線通信の接続を要求する側のマスタ端末は、ステップＳ７０の処理として、それら接点端子を通じ、その相手先のスレーブ端末へ問い合わせのメッセージを送信する。
【０２０８】
前記マスタ端末からの問い合わせをステップＳ８０にて受け取ったスレーブ端末は、ステップＳ８１の処理として、自端末の属性情報（アドレスやデバイス名などの情報）をマスタ端末へ送信する。
【０２０９】
前記スレーブ端末の属性情報をステップＳ７１にて受け取ったマスタ端末は、ステップＳ７２の処理として、そのスレーブ端末のアドレスを送信することによる接続要求を行い、スレーブ端末に対して応答を要求する。なお本実施形態の場合、マスタ端末とスレーブ端末は必ず一対一に接続されることになるため、当該ステップＳ７２においてマスタ端末は、一つのスレーブ端末に対してのみ応答を要求することになる。
【０２１０】
前記マスタ端末からの接続要求をステップＳ８２にて受信したスレーブ端末は、ステップＳ８３の処理として、通信に使用するチャネルや通信開始時刻などからなる通信情報を、マスタ端末へ送信する。
【０２１１】
次に、前記スレーブ端末から送られてきた通信情報をステップＳ７３にて受信したマスタ端末は、認証プロセスに移り、ステップＳ７４の処理として、乱数を発生させるとともに、内部のメモリ等に保持しているＰＩＮコードを取得し、そのＰＩＮコードと前記乱数をスレーブ端末へ送信する。またこの時のマスタ端末は、その乱数とＰＩＮコードとを用い、所定のアルゴリズムに従ってリンクキーを生成しておく。なお、マスタ端末は、当該リンクキーをさらに暗号化しておいてもよい。
【０２１２】
前記マスタ端末から送られてきた乱数及びＰＩＮコードをステップＳ８４にて受信したスレーブ端末は、ステップＳ８５の処理として、それら乱数及びＰＩＮコードに基づいて、所定のアルゴリズムに従ってリンクキーを生成し、そのリンクキーをマスタ端末へ送信する。すなわち本実施形態の場合、ＰＩＮコードは、接点端子を通じて取得されることになるため、ユーザがＰＩＮコードを入力等する必要はない。なお、リンクキーは、そのまま送られてもよいし、暗号化されてから送られてもよい。
【０２１３】
マスタ端末は、ステップＳ７５において、前記スレーブ端末からのリンクキーを受信すると、先のステップＳ７４で生成しておいたリンクキーと、当該受信したリンクキーとを照合する。この照合の結果、両者が一致していれば認証成功として認証プロセスを終了し、一方、両者が一致しなければ認証失敗として認証プロセスを終了する。なお、リンクキーの照合の際、それらリンクキーが暗号化されている場合には、当該暗号化されたリンクキーを用いた照合が行われる。
【０２１４】
次に、マスタ端末とスレーブ端末において、ステップＳ６２にて、両端末の接点端子の接続が切断されると、先ず、マスタ端末は、ステップＳ７６の処理として、アンテナを用いた近距離無線通信が可能か確認するための確認要求信号を、相手先であるスレーブ端末を特定して送信する。
【０２１５】
スレーブ端末は、マスタ端末から送信されてくる無線通信の確信要求信号をステップＳ８６にて受信できた場合、ステップＳ８７の処理として、確認応答信号を、相手先であるマスタ端末を特定して送信する。
【０２１６】
そして、スレーブ端末からの確認応答信号をステップＳ７７にてマスタ端末が受信すると、それらマスタ端末とスレーブ端末間の近距離無線通信が確立する。なお、ステップＳ７６，ステップＳ７７，ステップＳ８６，ステップＳ８７にて無線通信の確認ができなかった場合には、近距離無線通信は確立されないこととなる。
【０２１７】
なお、図１６の接続シーケンスの場合、マスタ端末は、ステップＳ７４において、内部メモリ等に保持しているＰＩＮコードを乱数と共にスレーブ端末へ送信し、スレーブ端末は、それら乱数とＰＩＮコードからリンクキーを生成してマスタ端末へ送信することとしている。本実施形態の無線通信システムでは、この図１６の接続シーケンスに代えて、ステップＳ８３ではスレーブ端末が内部のＰＩＮコードを前記通信情報に加えてマスタ端末へ送信し、ステップＳ７４ではマスタ端末が乱数のみをスレーブ端末へ送信するとともにその乱数とスレーブ端末のＰＩＮコードとを用いてリンクキーを生成しておくようにしてもよい。この場合、ステップＳ８４ではスレーブ端末が乱数と内部のＰＩＮコードからリンクキーを生成してマスタ端末へ送信し、ステップＳ７５ではマスタ端末が先に生成しておいたリンクキーと前記スレーブ端末から送られてきたリンクキーとを照合して認証を行う。リンクキーについては前述同様に暗号化されていてもよい。
【０２１８】
［携帯電話端末を介して二つの無線通信端末をペアリングする際の接続シーケンス］
図１７には、携帯電話端末を介して二つの無線通信端末をペアリングする際の接続シーケンスの一例として、前述の図３に示したような携帯電話端末１を介してヘッドフォン１１ＨＰと据え置き型オーディオ機器１１Ａをペアリングする場合の接続シーケンスを示す。なお、この図１７のシーケンスでは、主に認証にかかるステップのみを示し、図１６のシーケンスのような接点端子の接続／切断のステップや問い合わせメッセージの送受信のステップなどについての図示は省略している。
【０２１９】
図１７において、例えば図３の（Ａ）のように、携帯電話端末１とヘッドフォン１１ＨＰの両接点端子同士が接続された状態になると、携帯電話端末１とヘッドフォン１１ＨＰとの間では、前述の図１６の場合と同様に、当該接点端子による有線接続を通じた問い合わせのメッセージの送受信や、属性情報（アドレスやデバイス名などの情報）の送受信、通信に使用するチャネルや通信開始時刻などの情報通信が行われた後、認証プロセスへ移行する。
【０２２０】
認証プロセスに移行すると、携帯電話端末１は、ステップＳ９０の処理として、前述の図１６の例と同様に、乱数とＰＩＮコードを、接点端子を通じてヘッドフォン１１ＨＰへ有線送信する。またこの時の携帯電話端末１は、それら乱数とＰＩＮコードとを用い、所定のアルゴリズムに従ってリンクキーを生成しておく。
【０２２１】
前記携帯電話端末１から送られてきた乱数及びＰＩＮコードを受信したヘッドフォン１１ＨＰは、ステップＳ１００の処理として、それら乱数及びＰＩＮコードに基づいて、所定のアルゴリズムに従ってリンクキーＲhpを生成し、そのリンクキーＲhpをステップＳ１０１にて携帯電話端末１へ送信する。
【０２２２】
携帯電話端末１は、ステップＳ９１において、前記ヘッドフォン１１ＨＰからリンクキーＲhpを受信すると、先のステップＳ９０で生成しておいたリンクキーと、当該受信したリンクキーＲhpとを照合する。この照合の結果、両者が一致していれば認証成功として認証プロセスを終了し、一方、両者が一致しなければ認証失敗として認証プロセスを終了する。
【０２２３】
その後、携帯電話端末１とヘッドフォン１１ＨＰとの間で前記接点端子の接続が切断されると、携帯電話端末１とヘッドフォン１１ＨＰとの間では、前述の図１６で説明したような近距離無線通信の確認処理がなされ、その確認処理が完了すると、近距離無線通信が可能な状態となる。
【０２２４】
次に、図１７において、例えば図３の（Ｂ）のように、携帯電話端末１と据え置き型オーディオ機器１１Ａの両接点端子同士が接続された状態になると、携帯電話端末１と据え置き型オーディオ機器１１Ａとの間では、前述の同様に、当該接点端子による有線接続を通じた問い合わせのメッセージの送受信や属性情報（アドレスやデバイス名などの情報）の送受信、通信に使用するチャネルや通信開始時刻などの情報通信が行われた後、認証プロセスへ移行する。
【０２２５】
認証プロセスに移行すると、携帯電話端末１は、ステップＳ９３の処理として、新たに生成した乱数と、前記ＰＩＮコードとを、接点端子を通じて据え置き型オーディオ機器１１ＡＰへ有線送信すると共に、先のヘッドフォン１１ＨＰとの間の認証時に使用したリンクキーＲhpをも送信する。またこの時の携帯電話端末１は、当該新たな乱数と前記ＰＩＮコードとを用い、所定のアルゴリズムに従ってリンクキーを生成しておく。
【０２２６】
前記携帯電話端末１から送られてきた乱数及びＰＩＮコード，リンクコードＲhpを受信した据え置き型オーディオ機器１１Ａは、ステップＳ１１０の処理として、前記乱数及びＰＩＮコードに基づいて、所定のアルゴリズムに従ってリンクキーＲaを生成し、そのリンクキーＲaをステップＳ１１１にて携帯電話端末１へ送信する。また、据え置き型オーディオ機器１１Ａは、前記リンクコードＲhpについては内部に保存しておく。
【０２２７】
携帯電話端末１は、ステップＳ９４において、前記据え置き型オーディオ機器１１ＡからリンクキーＲaを受信すると、先のステップＳ９３で生成しておいたリンクキーと、当該受信したリンクキーＲaとを照合する。この照合の結果、両者が一致していれば認証成功として認証プロセスを終了し、一方、両者が一致しなければ認証失敗として認証プロセスを終了する。
【０２２８】
その後、携帯電話端末１と据え置き型オーディオ機器１１Ａとの間で前記接点端子の接続が切断されると、携帯電話端末１と据え置き型オーディオ機器１１Ａとの間では、前述の図１６で説明したような近距離無線通信の確認処理がなされ、その確認処理が完了すると、近距離無線通信が可能な状態となる。
【０２２９】
次に、携帯電話端末１は、既に確立した近距離無線通信を通じ、ステップＳ９６の処理として、据え置き型オーディオ機器１１Ａから受け取ったリンクキーＲaをヘッドフォン１１ＨＰへ無線送信する。そして、ヘッドフォン１１ＨＰは、ステップＳ１０３にて当該リンクキーＲaを受信する。
【０２３０】
次に、ヘッドフォン１１ＨＰと据え置き型オーディオ機器１１Ａとの間では、ステップＳ１０４及びステップＳ１１３の処理として、相互に前記リンクキーＲhp又はリンクキーＲaが一致するか否かの認証処理を実行する。そして、当該認証処理が成功した場合、それらヘッドフォン１１ＨＰと据え置き型オーディオ機器１１Ａとの間では、前述の図１６で説明したような近距離無線通信の確認処理がなされ、その確認処理が完了すると、近距離無線通信が可能な状態となる。
【０２３１】
［携帯電話端末を介して三つの無線通信端末をペアリングする際の接続シーケンス］
図１８には、携帯電話端末を介して三つの無線通信端末をペアリングする際の接続シーケンスの一例として、前述の図４に示したように携帯電話端末１を介してパーソナルコンピュータ１１Ｐとキーボード１１Ｋ、パーソナルコンピュータ１１Ａとマウスヘッド装置１１Ｍを、それぞれペアリングする場合の接続シーケンスを示す。なお、この図１８のシーケンスでは、主に認証にかかるステップのみを示し、図１６のシーケンスのような接点端子の接続／切断のステップや問い合わせメッセージの送受信のステップなどについての図示は省略している。
【０２３２】
図１８において、例えば図４の（Ａ）のように、携帯電話端末１とパーソナルコンピュータ１１Ｐの両接点端子同士が接続された状態になると、携帯電話端末１とパーソナルコンピュータ１１Ｐとの間では、前述同様に、当該接点端子による有線接続を通じた問い合わせのメッセージの送受信や、属性情報（アドレスやデバイス名などの情報）の送受信、通信に使用するチャネルや通信開始時刻などの情報通信が行われた後、認証プロセスへ移行する。
【０２３３】
認証プロセスに移行すると、携帯電話端末１は、ステップＳ１２０の処理として、前述同様に、乱数とＰＩＮコードを、接点端子を通じてパーソナルコンピュータ１１Ｐへ有線送信する。またこの時の携帯電話端末１は、それら乱数とＰＩＮコードとを用い、所定のアルゴリズムに従ってリンクキーを生成しておく。
【０２３４】
前記携帯電話端末１から送られてきた乱数及びＰＩＮコードを受信したパーソナルコンピュータ１１Ｐは、ステップＳ１４０の処理として、それら乱数及びＰＩＮコードに基づいて、所定のアルゴリズムに従ってリンクキーＲpを生成し、そのリンクキーＲpをステップＳ１４１にて携帯電話端末１へ送信する。
【０２３５】
携帯電話端末１は、ステップＳ１２１において、前記パーソナルコンピュータ１１ＰからリンクキーＲpを受信すると、先のステップＳ１２０で生成しておいたリンクキーと、当該受信したリンクキーＲpとを照合する。この照合の結果、両者が一致していれば認証成功として認証プロセスを終了し、一方、両者が一致しなければ認証失敗として認証プロセスを終了する。
【０２３６】
その後、携帯電話端末１とパーソナルコンピュータ１１Ｐとの間で前記接点端子の接続が切断されると、携帯電話端末１とパーソナルコンピュータ１１Ｐとの間では、前述のような近距離無線通信の確認処理がなされ、その確認処理が完了すると、近距離無線通信が可能な状態となる。
【０２３７】
次に、図１８において、例えば図４の（Ｂ）のように、携帯電話端末１とキーボード１１Ｋの両接点端子同士が接続された状態になると、携帯電話端末１とキーボード１１Ｋとの間では、前述の同様に、当該接点端子による有線接続を通じた問い合わせのメッセージの送受信や属性情報（アドレスやデバイス名などの情報）の送受信、通信に使用するチャネルや通信開始時刻などの情報通信が行われた後、認証プロセスへ移行する。
【０２３８】
認証プロセスに移行すると、携帯電話端末１は、ステップＳ１２３の処理として、新たに生成した乱数と、前記ＰＩＮコードとを、接点端子を通じてキーボード１１Ｋへ有線送信すると共に、先のパーソナルコンピュータ１１Ｐとの間の認証時に使用したリンクキーＲpをも送信する。またこの時の携帯電話端末１は、当該新たな乱数と前記ＰＩＮコードとを用い、所定のアルゴリズムに従ってリンクキーを生成しておく。
【０２３９】
前記携帯電話端末１から送られてきた乱数及びＰＩＮコード，リンクコードＲpを受信したキーボード１１ＫＡは、ステップＳ１５０の処理として、前記乱数及びＰＩＮコードに基づいて、所定のアルゴリズムに従ってリンクキーＲkを生成し、そのリンクキーＲkをステップＳ１５１にて携帯電話端末１へ送信する。また、キーボード１１Ｋは、前記リンクコードＲpについては内部に保存しておく。
【０２４０】
携帯電話端末１は、ステップＳ１２４において、前記キーボード１１ＫからリンクキーＲkを受信すると、先のステップＳ１２３にて生成しておいた前記リンクキーと、当該受信したリンクキーＲkとを照合する。この照合の結果、両者が一致していれば認証成功として認証プロセスを終了し、一方、両者が一致しなければ認証失敗として認証プロセスを終了する。
【０２４１】
その後、携帯電話端末１とキーボード１１Ｋとの間で前記接点端子の接続が切断されると、携帯電話端末１とキーボード１１Ｋとの間では、前述のような近距離無線通信の確認処理がなされ、その確認処理が完了すると、近距離無線通信が可能な状態となる。
【０２４２】
次に、図１８において、例えば図４の（Ｃ）のように、携帯電話端末１とマウス装置１１Ｍの両接点端子同士が接続された状態になると、携帯電話端末１とマウス装置１１Ｍとの間では、前述の同様に、当該接点端子による有線接続を通じた問い合わせのメッセージの送受信や属性情報の送受信、通信に使用するチャネルや通信開始時刻などの情報通信が行われた後、認証プロセスへ移行する。
【０２４３】
認証プロセスに移行すると、携帯電話端末１は、ステップＳ１２６の処理として、新たに生成した乱数と、前記ＰＩＮコードとを、接点端子を通じてマウス装置１１Ｍへ有線送信すると共に、先のパーソナルコンピュータ１１Ｐとの間の認証時に使用したリンクキーＲpをも送信する。またこの時の携帯電話端末１は、当該新たな乱数と前記ＰＩＮコードとを用い、所定のアルゴリズムに従ってリンクキーを生成しておく。
【０２４４】
前記携帯電話端末１から送られてきた乱数及びＰＩＮコード，リンクコードＲpを受信したマウス装置１１Ｍは、ステップＳ１６０の処理として、前記乱数及びＰＩＮコードに基づいて、所定のアルゴリズムに従ってリンクキーＲmを生成し、そのリンクキーＲmをステップＳ１６１にて携帯電話端末１へ送信する。また、マウス装置１１Ｍは、前記リンクコードＲmについては内部に保存しておく。
【０２４５】
携帯電話端末１は、ステップＳ１２７において、前記マウス装置１１ＭからリンクキーＲmを受信すると、先のステップＳ１２６にて生成しておいた前記リンクキーと、当該受信したリンクキーＲmとを照合する。この照合の結果、両者が一致していれば認証成功として認証プロセスを終了し、一方、両者が一致しなければ認証失敗として認証プロセスを終了する。
【０２４６】
その後、携帯電話端末１とマウス装置１１Ｍとの間で前記接点端子の接続が切断されると、携帯電話端末１とマウス装置１１Ｍとの間では、前述のような近距離無線通信の確認処理がなされ、その確認処理が完了すると、近距離無線通信が可能な状態となる。
【０２４７】
次に、携帯電話端末１は、既に確立した近距離無線通信を通じ、ステップＳ１２９の処理として、前記キーボード１１Ｋから受け取ったリンクキーＲkと、マウス装置１１Ｍから受け取ったリンクキーＲmを、パーソナルコンピュータ１１Ｐへ無線送信する。そして、パーソナルコンピュータ１１Ｐは、ステップＳ１４３にてそれらリンクキーＲk、Ｒmを受信する。
【０２４８】
次に、パーソナルコンピュータ１１Ｐとキーボード１１Ｋとの間では、ステップＳ１４４及びステップＳ１５３の処理として、相互に前記リンクキーＲp又はリンクキーＲkが一致するか否かの認証処理を実行する。そして、当該認証処理が成功した場合、それらパーソナルコンピュータ１１Ｐとキーボード１１Ｋとの間では、前述したような近距離無線通信の確認処理がなされ、その確認処理が完了した場合に、近距離無線通信が可能な状態となる。
【０２４９】
また、パーソナルコンピュータ１１Ｐとマウス装置１１Ｍとの間では、ステップＳ１４５及びステップＳ１６３の処理として、相互に前記リンクキーＲp又はリンクキーＲmが一致するか否かの認証処理を実行する。そして、当該認証処理が成功した場合に、それらパーソナルコンピュータ１１Ｐとマウス装置１１Ｍとの間では、前述したような近距離無線通信の確認処理がなされ、その確認処理が完了すると、近距離無線通信が可能な状態となる。
【０２５０】
［携帯電話端末を介して三つの無線通信端末を相互にペアリングする際の接続シーケンス］
図１９には、携帯電話端末を介して三つの無線通信端末を相互にペアリングする際の接続シーケンスの一例として、前述の図５に示したように携帯電話端末１を介してパーソナルコンピュータ１１Ｐ１〜１１Ｐ３を相互にペアリングする場合の接続シーケンスを示す。なお、この図１９のシーケンスでは、主に認証にかかるステップのみを示し、接点端子の接続／切断のステップや問い合わせメッセージの送受信のステップなどについての図示は省略している。
【０２５１】
図１９において、例えば図５の（Ａ）のように、携帯電話端末１とパーソナルコンピュータ１１Ｐ１の両接点端子同士が接続された状態になると、携帯電話端末１とパーソナルコンピュータ１１Ｐ１との間では、当該接点端子による有線接続を通じた問い合わせのメッセージの送受信や、属性情報の送受信、通信に使用するチャネルや通信開始時刻などの情報通信が行われた後、認証プロセスへ移行する。
【０２５２】
認証プロセスに移行すると、携帯電話端末１は、ステップＳ１７０の処理として、乱数とＰＩＮコードを、接点端子を通じてパーソナルコンピュータ１１Ｐ１へ有線送信する。またこの時の携帯電話端末１は、それら乱数とＰＩＮコードとを用い、所定のアルゴリズムに従ってリンクキーを生成しておく。
【０２５３】
前記携帯電話端末１から送られてきた乱数及びＰＩＮコードを受信したパーソナルコンピュータ１１Ｐ１は、ステップＳ１９０の処理として、それら乱数及びＰＩＮコードに基づいて、所定のアルゴリズムに従ってリンクキーＲp1を生成し、そのリンクキーＲp1をステップＳ１９１にて携帯電話端末１へ送信する。
【０２５４】
携帯電話端末１は、ステップＳ１７１において、前記パーソナルコンピュータ１１Ｐ１からリンクキーＲp1を受信すると、前述同様に、先のステップＳ１７０で生成しておいたリンクキーと、当該受信したリンクキーＲp1とを照合して認証成功／失敗を判定し、認証が終了すると当該認証プロセスを終了する。
【０２５５】
その後、携帯電話端末１とパーソナルコンピュータ１１Ｐ１との間で前記接点端子の接続が切断されると、携帯電話端末１とパーソナルコンピュータ１１Ｐ１との間では、前述のような近距離無線通信の確認処理がなされ、その確認処理が完了すると、近距離無線通信が可能な状態となる。
【０２５６】
次に、図１９において、例えば図５の（Ｂ）のように、携帯電話端末１とパーソナルコンピュータ１１Ｐ２の両接点端子同士が接続された状態になると、携帯電話端末１とパーソナルコンピュータ１１Ｐ２との間では、当該接点端子による有線接続を通じた問い合わせのメッセージの送受信や属性情報の送受信、通信に使用するチャネルや通信開始時刻などの情報通信が行われた後、認証プロセスへ移行する。
【０２５７】
認証プロセスに移行すると、携帯電話端末１は、ステップＳ１７３の処理として、新たに生成した乱数と、前記ＰＩＮコードとを、接点端子を通じてパーソナルコンピュータ１１Ｐ２へ有線送信するとともに、先のパーソナルコンピュータ１１Ｐ１との間の認証時に使用したリンクキーＲp1をも送信する。また、この時の携帯電話端末１は、当該新たな乱数と前記ＰＩＮコードとを用い、所定のアルゴリズムに従って前記リンクキーを生成しておく。
【０２５８】
前記携帯電話端末１から送られてきた乱数及びＰＩＮコード，リンクコードＲp1を受信したパーソナルコンピュータ１１Ｐ２は、ステップＳ２００の処理として、前記乱数及びＰＩＮコードに基づいて、所定のアルゴリズムに従ってリンクキーＲp2を生成し、そのリンクキーＲp2をステップＳ２０１にて携帯電話端末１へ送信する。また、パーソナルコンピュータ１１Ｐ２は、前記リンクコードＲp1については内部に保存しておく。
【０２５９】
携帯電話端末１は、ステップＳ１７４において、前記パーソナルコンピュータ１１Ｐ２からリンクキーＲp2を受信すると、先のステップＳ１７３で生成しておいたリンクキーと、当該受信したリンクキーＲp2とを照合して認証成功／失敗を判定し、認証が終了すると当該認証プロセスを終了する。
【０２６０】
その後、携帯電話端末１とパーソナルコンピュータ１１Ｐ２との間で前記接点端子の接続が切断されると、携帯電話端末１とパーソナルコンピュータ１１Ｐ２との間では、前述のような近距離無線通信の確認処理がなされ、その確認処理が完了すると、近距離無線通信が可能な状態となる。
【０２６１】
次に、図１９において、例えば図５の（Ｃ）のように、携帯電話端末１とパーソナルコンピュータ１１Ｐ３の両接点端子同士が接続された状態になると、携帯電話端末１とパーソナルコンピュータ１１Ｐ３との間では、当該接点端子による有線接続を通じた問い合わせのメッセージの送受信や属性情報の送受信、通信に使用するチャネルや通信開始時刻などの情報通信が行われた後、認証プロセスへ移行する。
【０２６２】
認証プロセスに移行すると、携帯電話端末１は、ステップＳ１７６の処理として、新たに生成した乱数と、前記ＰＩＮコードとを、接点端子を通じてパーソナルコンピュータ１１Ｐ３へ有線送信すると共に、先のパーソナルコンピュータ１１Ｐ１，パーソナルコンピュータ１１Ｐ２との間の認証時に使用したリンクキーＲp1，Ｒp2をも送信する。またこの時の携帯電話端末１は、当該新たな乱数と前記ＰＩＮコードとを用い、所定のアルゴリズムに従ってリンクキーを生成しておく。
【０２６３】
前記携帯電話端末１から送られてきた前記乱数及びＰＩＮコード，リンクコードＲp1，Ｒp2を受信したパーソナルコンピュータ１１Ｐ３は、ステップＳ２１０の処理として、前記乱数及びＰＩＮコードに基づいて、所定のアルゴリズムに従ってリンクキーＲp3を生成し、そのリンクキーＲp3をステップＳ２１１にて携帯電話端末１へ送信する。また、パーソナルコンピュータ１１Ｐ３は、前記リンクコードＲp1，Ｒp2については内部に保存しておく。
【０２６４】
携帯電話端末１は、ステップＳ１７８において、前記パーソナルコンピュータ１１Ｐ３からリンクキーＲp3を受信すると、先のステップＳ１７６で生成しておいたリンクキーと、当該受信したリンクキーＲp3とを照合して認証成功／失敗を判定し、認証が終了すると当該認証プロセスを終了する。
【０２６５】
その後、携帯電話端末１とパーソナルコンピュータ１１Ｐ３との間で前記接点端子の接続が切断されると、携帯電話端末１とパーソナルコンピュータ１１Ｐ３との間では、前述のような近距離無線通信の確認処理がなされ、その確認処理が完了すると、近距離無線通信が可能な状態となる。
【０２６６】
次に、携帯電話端末１は、既に確立した近距離無線通信を通じ、ステップＳ１７９の処理として、前記パーソナルコンピュータ１１Ｐ２，１１Ｐ３から受け取ったリンクキーＲp2，Ｒp3を、パーソナルコンピュータ１１Ｐ１へ無線送信する。そして、パーソナルコンピュータ１１Ｐ１は、ステップＳ１９３にてそれらリンクキーＲp2，Ｒp3を受信する。
【０２６７】
次に、パーソナルコンピュータ１１Ｐ１とパーソナルコンピュータ１１Ｐ２との間では、ステップＳ１９４及びステップＳ２０３の処理として、相互に前記リンクキーＲp1又はリンクキーＲp2が一致するか否かの認証処理を実行する。そして、当該認証処理が成功した場合、それらパーソナルコンピュータ１１Ｐ１とパーソナルコンピュータ１１Ｐ２との間では、前述したような近距離無線通信の確認処理がなされ、その確認処理が完了すると、近距離無線通信が可能な状態となる。
【０２６８】
また、パーソナルコンピュータ１１Ｐ１とパーソナルコンピュータ１１Ｐ３との間では、ステップＳ１９５及びステップＳ２１３の処理として、相互に前記リンクキーＲp1又はリンクキーＲp3が一致するか否かの認証処理を実行する。そして、当該認証処理が成功した場合、それらパーソナルコンピュータ１１Ｐ１とパーソナルコンピュータ１１Ｐ３との間では、前述したような近距離無線通信の確認処理がなされ、その確認処理が完了すると、近距離無線通信が可能な状態となる。
【０２６９】
また、携帯電話端末１は、既に確立した近距離無線通信を通じ、ステップＳ１８０の処理として、前記パーソナルコンピュータ１１Ｐ３から受け取ったリンクキーＲp3を、パーソナルコンピュータ１１Ｐ２へ無線送信する。そして、パーソナルコンピュータ１１Ｐ２は、ステップＳ２０４にてリンクキーＲp3を受信する。
【０２７０】
次に、パーソナルコンピュータ１１Ｐ２とパーソナルコンピュータ１１Ｐ３との間では、ステップＳ２０５及びステップＳ２１４の処理として、相互に前記リンクキーＲp2又はリンクキーＲp3が一致するか否かの認証処理を実行する。そして、当該認証処理が成功した場合、それらパーソナルコンピュータ１１Ｐ２とパーソナルコンピュータ１１Ｐ３との間では、前述したような近距離無線通信の確認処理がなされ、その確認処理が完了すると、近距離無線通信が可能な状態となる。
【０２７１】
［携帯電話端末を介したワイファイ無線通信ペアリングの接続シーケンス］
図２０には、携帯電話端末を介したワイファイ無線通信のペアリング時の接続シーケンスの一例として、前述の図６に示したような携帯電話端末１を介して無線アクセスポイント機器１１Ｗとパーソナルコンピュータ１１Ｐをワイファイ認証する場合の接続シーケンスを示す。なお、この図２０のシーケンスでは、主に認証にかかるステップのみを示している。
【０２７２】
図２０において、例えば図６の（Ａ）のように、携帯電話端末１と無線アクセスポイント機器１１Ｗの両接点端子同士が接続された状態になると、携帯電話端末１と無線アクセスポイント機器１１Ｗとの間では、当該接点端子による有線接続を通じて、リクエスト送信やＭＡＣアドレス，サポート通信速度などの情報通信がなされた後、それら携帯電話端末１と無線アクセスポイント機器１１Ｗとの間でＥＡＰによるユーザ認証プロセスへ移行する。
【０２７３】
当該ユーザ認証プロセスに移行すると、携帯電話端末１は、ステップＳ２２０の処理として、接点端子を通じて、ＥＡＰデータを無線アクセスポイント機器１１Ｗへ有線送信する。
【０２７４】
前記携帯電話端末１から送られてきたＥＡＰデータ受信した無線アクセスポイント機器１１Ｗは、ステップＳ２３０の処理として、当該ＥＡＰデータを基にユーザを認証する。そして、当該ユーザ認証がＯＫである場合、無線アクセスポイント機器１１Ｗは、ステップＳ２３１の処理として、暗号鍵を接点端子を通じて携帯電話端末１へ有線送信する。そして、携帯電話端末１は、ステップＳ２２１にて、前記無線アクセスポイント機器１１Ｗから送られてきた暗号鍵を受信する。
【０２７５】
その後、それら携帯電話端末１と無線アクセスポイント機器１１Ｗとの間の接点端子の電気的な接続が切り離されると、ステップＳ２２２及びステップＳ２３２の処理として、それら携帯電話端末１と無線アクセスポイント機器１１Ｗとの間でワイファイ無線通信の接続が確立処理が実行され、当該接続確立処理が完了すると、それらの間の無線通信が可能な状態となる。
【０２７６】
次に、例えば図６の（Ｂ）のように、携帯電話端末１とパーソナルコンピュータ１１Ｐの両接点端子同士が接続された状態になると、携帯電話端末１は、ステップＳ２２３の処理として、前記無線アクセスポイント機器１１Ｗから先に取得した暗号鍵やＭＡＣアドレス，サポート通信速度などを、前記接点端子を通じてパーソナルコンピュータ１１Ｐへ有線送信する。
【０２７７】
前記携帯電話端末１から送られてきた暗号鍵等をステップＳ２４０にて受信したパーソナルコンピュータ１１Ｐは、ステップＳ２４１の処理として、無線アクセスポイント機器１１Ｗへアクセスする。
【０２７８】
これにより、無線アクセスポイント機器１１Ｗとパーソナルコンピュータ１１Ｐとの間では、ステップＳ２３４及びステップＳ２４１の処理として、前記暗号鍵等を用いたワイファイ無線通信の確立処理が実行され、その確立処理が完了すると、それらの間でワイファイ無線通信が可能な状態となる。
【０２７９】
［まとめ］
以上説明したように、本発明実施形態においては、接点端子同士を電気的に直接接続した状態で、例えばブルートゥース無線通信に関連した問い合わせメッセージの送受信からリンクキーの送受信、或いは、ワイファイ無線通信に関連したＥＡＰデータや暗号鍵等の送受信までが行われ、それらの情報の照合により認証が成功し、さらに、接点端子の接続が切断された後に、近距離無線通信の確立が行われる。すなわち本実施形態によれば、ＰＩＮコードやアドレス、デバイス名、ＥＡＰデータや暗号鍵などの秘密情報は、無線で送信されることなく、接点端子を介して直接送受信される。このため、本実施形態によれば、それら秘密情報が外部に漏れることはなく、情報漏洩に対する高い安全性を実現することができる。
【０２８０】
また本実施形態によれば、近距離無線通信を行いたい端末同士の接点端子の接触と、その後の切断、接点端子の接触後のボタン操作などように、ユーザにとって非常に分かり易い作業で近距離無線通信の設定が完了するため、ユーザは専門的な知識を必要とせず、また複雑な操作を行う必要もない。
【０２８１】
また、図７〜図９の例の場合、本実施形態に必要となる構成要素は、接点端子の他に、アンテナと接点端子間の接続を切り替えるスイッチのみであり、ハードウェアの負担が少なく、小型、低コストで実現することができる。
【０２８２】
さらに、前述の図１１、図１２、図１４の例の場合、図７〜図９の例のような切替スイッチは必要なく、さらなるハードウェアの負担軽減、小型化、低コスト化が実現可能となる。特に、図１２の構成例の場合、パワーアンプのオン／オフ制御は、制御部３からの制御信号のみで実現でき、新たな構成を設ける必要がない。なお、図１２の構成例の場合、接点端子共用器としてのデュープレクサについては必要であるが、これは一般的なアンテナ共用器と同じものを用いることができるため、コスト上昇を抑えることができる。また、図１４の構成例の場合は、トランシーバ回路２９におけるスクランブル等の実行／非実行の制御のみで実現されるため、ハードウェアの新たな追加は必要ない。
【０２８３】
また、本実施形態によれば、例えば携帯電話端末と他の二以上の無線通信端末との間で、接点端子を通じた有線認証がなされることにより、それら他の二以上の無線通信端末間の近距離無線通信が可能になるため、
【０２８４】
なお、前述した実施形態の説明は、本発明の一例である。このため、本発明は前述した各実施形態に限定されることなく、本発明に係る技術的思想を逸脱しない範囲であれば、設計等に応じて種々の変更が可能であることはもちろんである。
【０２８５】
前述した実施形態では、無線通信端末として携帯電話端末を想定しているが、本発明は、その他の様々な無線通信端末にも適用可能である。
【符号の説明】
【０２８６】
１…携帯電話端末、１１…無線通信端末、１１Ｔ…近距離無線通信機能を備えたテレビジョン受像機、１１ＨＳ…近距離無線通信機能を備えたヘッドセット、１１ＨＰ…近距離無線通信機能を備えたヘッドフォン、１１Ａ…近距離無線通信機能を備えた据え置き型オーディオ機器、１１Ｐ，１１Ｐ１〜１１Ｐ３…近距離無線通信機能を備えたパーソナルコンピュータ、１１Ｋ…近距離無線通信機能を備えたキーボード、１１Ｍ…近距離無線通信機能を備えたマウス装置、１１Ｗ…無線アクセスポイント機器、
２，１２…接点端子、３，１３…制御部、４，１４，７，１７…通信部、５，１５…切替部、６，１６…近距離無線通信用のアンテナ、
２１，２９…トランシーバ回路、２２，２４，２７…バンドパスフィルタ、２３…パワーアンプ、２５…デュープレクサ（第一のデュープレクサ、アンテナ共用器）、２８…ローノイズアンプ、３０…第二のデュープレクサ（接点端子共用器）、３１…発振器、３２…バッファアンプ、３３…信号入出力端子、３５…パワーアンプオン／オフ制御信号の入力端子、３７…スクランブル制御信号の入力端子
【図１】
2011109498.tif 000003
【図２】
2011109498.tif 000004
【図３】
2011109498.tif 000005
【図４】
2011109498.tif 000006
【図５】
2011109498.tif 000007
【図６】
2011109498.tif 000008
【図７】
2011109498.tif 000009
【図８】
2011109498.tif 000010
【図９】
2011109498.tif 000011
【図１０】
2011109498.tif 000012
【図１１】
2011109498.tif 000013
【図１２】
2011109498.tif 000014
【図１３】
2011109498.tif 000015
【図１４】
2011109498.tif 000016
【図１５】
2011109498.tif 000017
【図１６】
2011109498.tif 000018
【図１７】
2011109498.tif 000019
【図１８】
2011109498.tif 000020
【図１９】
2011109498.tif 000021
【図２０】
2011109498.tif 000022